(57)【要約】【課題】被検者の痛みをさらに効果的に緩和することができる、放射線画像撮影システム、制御方法、及び制御プログラムを提供する。【解決手段】マンモグラフィ装置１０は、圧迫制御部８０を備える。圧迫制御部８０は、乳房を圧迫状態としたままで、単純撮影及びトモシンセシス撮影を連続して行う連続撮影の場合、単純撮影及びトモシンセシス撮影のうちの先に行う一方の撮影では、圧迫板３４により乳房を圧迫する力を第１圧迫力とする制御を行う。また、圧迫制御部８０は、一方の撮影の後に、圧迫板３４による圧迫力を第１圧迫力から第１圧迫力よりも小さい第２圧迫力に変更し、単純撮影及びトモシンセシス撮影のうちの後に行う他方の撮影では、圧迫板３４により乳房を圧迫する力を第２圧迫力とする制御を行う。【選択図】図９
2020137873.tif 000002
【特許請求の範囲】
【請求項１】
放射線源、放射線検出器、及び前記放射線源と前記放射線検出器との間に配置された乳房を圧迫状態にする圧迫部材を含み、前記圧迫状態の前記乳房に対して、所定の照射角度から前記放射線源により放射線を照射して放射線画像を撮影する単純撮影と、前記圧迫状態の乳房に対して異なる複数の照射角度の各々から、前記放射線源により順次放射線を照射して前記複数の照射角度毎に投影画像を撮影するトモシンセシス撮影と、が可能なマンモグラフィ装置と、
前記マンモグラフィ装置が前記乳房を前記圧迫状態としたままで、前記単純撮影及び前記トモシンセシス撮影を連続して行う連続撮影の場合、前記単純撮影及び前記トモシンセシス撮影のうちの先に行う一方の撮影では、前記圧迫部材により前記乳房を圧迫する力を第１の力とし、前記一方の撮影の後に、前記圧迫部材により前記乳房を圧迫する力を前記第１の力から前記第１の力よりも小さい第２の力に変更し、前記単純撮影及び前記トモシンセシス撮影のうちの後に行う他方の撮影では、前記圧迫部材による前記乳房を圧迫する力を前記第２の力とする制御を行う圧迫制御部を含む制御装置と、
を備えた放射線画像撮影システム。
【請求項２】
前記圧迫制御部は、前記連続撮影が、前記トモシンセシス撮影の後に前記単純撮影を行う撮影である場合、前記トモシンセシス撮影の後に、前記乳房を圧迫する力を前記第１の力から前記第２の力に変更する制御を行い、
前記連続撮影が、前記単純撮影の後に前記トモシンセシス撮影を行う場合、前記単純撮影の後に前記乳房を圧迫する力を前記第１の力から前記第２の力に変更するのに代えて、前記単純撮影の後に前記第１の力から前記第１の力よりも大きい第３の力に変更し、前記トモシンセシス撮影では、前記乳房を圧迫する力を前記第３の力とする制御を行う、
請求項１に記載の放射線画像撮影システム。
【請求項３】
前記圧迫制御部は、前記連続撮影が、前記トモシンセシス撮影の後に前記単純撮影を行う撮影である場合、前記トモシンセシス撮影の後に前記乳房を圧迫する力を前記第１の力から前記第２の力に変更する制御を行い、
前記連続撮影が、前記単純撮影の後に前記トモシンセシス撮影を行う撮影である場合、前記単純撮影の後に前記乳房を圧迫する力を前記第１の力から前記第２の力に変更するのに代えて、前記単純撮影の後に前記乳房を圧迫する力を前記第１の力のままとする制御を行う、
請求項１に記載の放射線画像撮影システム。
【請求項４】
前記圧迫制御部は、前記他方の撮影がトモシンセシス撮影である場合は、
第１のトモシンセシス撮影モードの場合、前記一方の撮影の後に前記乳房を圧迫する力を前記第１の力から前記第２の力に変更する制御を行い、
前記第１のトモシンセシス撮影モードよりも照射角度の範囲が広い第２のトモシンセシス撮影モードの場合、前記単純撮影の後に前記乳房を圧迫する力を前記第１の力から前記第２の力に変更するのに代えて、前記単純撮影の後に前記乳房を圧迫する力を前記第１の力のままとする制御を行う、
請求項１に記載の放射線画像撮影システム。
【請求項５】
前記圧迫制御部は、前記マンモグラフィ装置により撮影された前記放射線画像及び投影画像の少なくとも一方の画像に基づいて、前記一方の撮影の後に前記乳房を圧迫する力を前記第１の力から前記第２の力に変更するのに代えて、前記一方の撮影の後に前記乳房を圧迫する力を前記第１の力のままとする制御を行う、
請求項１に記載の放射線画像撮影システム。
【請求項６】
前記圧迫制御部は、前記一方の画像に基づいて、前記乳房に人工物が含まれていないと推定される場合、前記一方の撮影の後に前記乳房を圧迫する力を前記第１の力から前記第２の力に変更する制御を行い、
前記乳房に人工物が含まれていると推定される場合、前記一方の撮影の後に前記乳房を圧迫する力を前記第１の力から前記第２の力に変更するのに代えて、前記一方の撮影の後に前記乳房を圧迫する力を前記第１の力のままとする制御を行う、
請求項５に記載の放射線画像撮影システム。
【請求項７】
前記一方の撮影の終了後、前記他方の撮影の前に前記放射線源を移動させる場合、前記放射線源の移動期間と、前記一方の撮影の終了後に前記乳房を圧迫する力を変更する変更期間とが重なる、
請求項１から請求項６のいずれか１項に記載の放射線画像撮影システム。
【請求項８】
前記マンモグラフィ装置は、散乱線を除去するグリッドと、
前記単純撮影の場合、前記グリッドを前記放射線源と前記放射線検出器との間の位置である第１位置に移動し、前記トモシンセシス撮影の場合、前記グリッドを前記第１位置とは異なる位置でかつ前記放射線源から見て前記放射線検出器より退避された位置である第２位置に移動させるグリッド移動部と、をさらに備え、
前記連続撮影において、前記グリッド移動部が前記グリッドを前記第１位置及び前記第２位置の一方の位置から他方の位置へ移動させる移動期間と、前記一方の撮影の終了後に前記乳房を圧迫する力を変更する変更期間とが重なる、
請求項１から請求項７のいずれか１項に記載の放射線画像撮影システム。
【請求項９】
前記連続撮影が、前記単純撮影の後に前記トモシンセシス撮影を行う撮影である場合、前記グリッド移動部が前記グリッドを前記第１位置から前記第２位置へ移動させる移動期間と、前記一方の撮影の終了後に前記乳房を圧迫する力を変更する変更期間とが重なる、
請求項８に記載の放射線画像撮影システム。
【請求項１０】
前記連続撮影が、前記トモシンセシス撮影の後に前記単純撮影を行う撮影である場合、前記グリッド移動部が前記グリッドを前記第２位置から前記第１位置へ移動させる移動期間と、前記一方の撮影の終了後に前記乳房を圧迫する力を変更する変更期間とが重なる、
請求項８または請求項９に記載の放射線画像撮影システム。
【請求項１１】
前記圧迫制御部は、前記圧迫部材を、圧迫解除方向に移動させることにより、前記第１の力から前記第２の力に変更する制御を行う、
請求項１から請求項１０のいずれか１項に記載の放射線画像撮影システム。
【請求項１２】
前記乳房を圧迫する力は、前記乳房全体を圧迫する圧迫力であり、前記第１の力を第１圧迫力とし、前記第２の力を第２圧迫力とする、
請求項１から請求項１１のいずれか１項に記載の放射線画像撮影システム。
【請求項１３】
前記乳房を圧迫する力は、単位面積当たりの圧迫力である圧迫圧力であり、前記第１の力を第１圧迫圧力とし、前記第２の力を第２圧迫圧力とする、
請求項１から請求項１１のいずれか１項に記載の放射線画像撮影システム。
【請求項１４】
放射線源、放射線検出器、及び前記放射線源と前記放射線検出器との間に配置された乳房を圧迫状態にする圧迫部材を含み、前記圧迫状態の前記乳房に対して、所定の照射角度から前記放射線源により放射線を照射して放射線画像を撮影する単純撮影と、前記圧迫状態の乳房に対して異なる複数の照射角度の各々から、前記放射線源により順次放射線を照射して前記複数の照射角度毎に投影画像を撮影するトモシンセシス撮影と、が可能なマンモグラフィ装置が前記乳房を前記圧迫状態としたままで、前記単純撮影及び前記トモシンセシス撮影を連続して行う連続撮影の場合、前記単純撮影及び前記トモシンセシス撮影のうちの先に行う一方の撮影では、前記圧迫部材により前記乳房を圧迫する力を第１の力とし、
前記一方の撮影の後に、前記圧迫部材により前記乳房を圧迫する力を前記第１の力から前記第１の力よりも小さい第２の力に変更し、前記単純撮影及び前記トモシンセシス撮影のうちの後に行う他方の撮影では、前記圧迫部材による前記乳房を圧迫する力を前記第２の力とする制御を行う、
処理をコンピュータが実行する制御方法。
【請求項１５】
前記連続撮影が、前記トモシンセシス撮影の後に前記単純撮影を行う撮影である場合、前記トモシンセシス撮影の後に、前記乳房を圧迫する力を前記第１の力から前記第２の力に変更する制御を行い、
前記連続撮影が、前記単純撮影の後に前記トモシンセシス撮影を行う場合、前記単純撮影の後に前記乳房を圧迫する力を前記第１の力から前記第２の力に変更するのに代えて、前記単純撮影の後に前記第１の力から前記第１の力よりも大きい第３の力に変更し、前記トモシンセシス撮影では、前記乳房を圧迫する力を前記第３の力とする制御を行う、
請求項１４に記載の制御方法。
【請求項１６】
前記連続撮影が、前記トモシンセシス撮影の後に前記単純撮影を行う撮影である場合、前記トモシンセシス撮影の後に前記乳房を圧迫する力を前記第１の力から前記第２の力に変更する制御を行い、
前記連続撮影が、前記単純撮影の後に前記トモシンセシス撮影を行う撮影である場合、前記単純撮影の後に前記乳房を圧迫する力を前記第１の力から前記第２の力に変更するのに代えて、前記単純撮影の後に前記乳房を圧迫する力を前記第１の力のままとする制御を行う、
請求項１４に記載の制御方法。
【請求項１７】
前記他方の撮影がトモシンセシス撮影である場合は、
第１のトモシンセシス撮影モードの場合、前記一方の撮影の後に前記乳房を圧迫する力を前記第１の力から前記第２の力に変更する制御を行い、
前記第１のトモシンセシス撮影モードよりも照射角度の範囲が広い第２のトモシンセシス撮影モードの場合、前記単純撮影の後に前記乳房を圧迫する力を前記第１の力から前記第２の力に変更するのに代えて、前記単純撮影の後に前記乳房を圧迫する力を前記第１の力のままとする制御を行う、
請求項１４に記載の制御方法。
【請求項１８】
前記マンモグラフィ装置により撮影された前記放射線画像及び投影画像の少なくとも一方の画像に基づいて、前記一方の撮影の後に前記乳房を圧迫する力を前記第１の力から前記第２の力に変更するのに代えて、前記一方の撮影の後に前記乳房を圧迫する力を前記第１の力のままとする制御を行う、
請求項１４に記載の制御方法。
【請求項１９】
前記一方の画像に基づいて、前記乳房に人工物が含まれていないと推定される場合、前記一方の撮影の後に前記乳房を圧迫する力を前記第１の力から前記第２の力に変更する制御を行い、
前記乳房に人工物が含まれていると推定される場合、前記一方の撮影の後に前記乳房を圧迫する力を前記第１の力から前記第２の力に変更するのに代えて、前記一方の撮影の後に前記乳房を圧迫する力を前記第１の力のままとする制御を行う、
請求項１８に記載の制御方法。
【請求項２０】
前記一方の撮影の終了後、前記他方の撮影の前に前記放射線源を移動させる場合、前記放射線源の移動期間と、前記一方の撮影の終了後に前記乳房を圧迫する力を変更する変更期間とが重なる、
請求項１４から請求項１９のいずれか１項に記載の制御方法。
【請求項２１】
前記単純撮影の場合、前記マンモグラフィ装置が備える散乱線を除去するグリッドを前記放射線源と前記放射線検出器との間の位置である第１位置に移動し、前記トモシンセシス撮影の場合、前記グリッドを前記第１位置とは異なる位置でかつ前記放射線源から見て前記放射線検出器より退避された位置である第２位置に移動させる処理をさらに含み、
前記連続撮影において、前記グリッドを前記第１位置及び前記第２位置の一方の位置から他方の位置へ移動させる移動期間と、前記一方の撮影の終了後に前記乳房を圧迫する力を変更する変更期間とが重なる、
請求項１４から請求項２０のいずれか１項に記載の制御方法。
【請求項２２】
前記連続撮影が、前記単純撮影の後に前記トモシンセシス撮影を行う撮影である場合、前記グリッドを前記第１位置から前記第２位置へ移動させる移動期間と、前記一方の撮影の終了後に前記乳房を圧迫する力を変更する変更期間とが重なる、
請求項２１に記載の制御方法。
【請求項２３】
前記連続撮影が、前記トモシンセシス撮影の後に前記単純撮影を行う撮影である場合、前記グリッドを前記第２位置から前記第１位置へ移動させる移動期間と、前記一方の撮影の終了後に前記乳房を圧迫する力を変更する変更期間とが重なる、
請求項２１または請求項２２に記載の制御方法。
【請求項２４】
前記圧迫部材を、圧迫解除方向に移動させることにより、前記第１の力から前記第２の力に変更する制御を行う、
請求項１４から請求項２３のいずれか１項に記載の制御方法。
【請求項２５】
前記乳房を圧迫する力は、前記乳房全体を圧迫する圧迫力であり、前記第１の力を第１圧迫力とし、前記第２の力を第２圧迫力とする、
請求項１４から請求項２４のいずれか１項に記載の制御方法。
【請求項２６】
前記乳房を圧迫する力は、単位面積当たりの圧迫力である圧迫圧力であり、前記第１の力を第１圧迫圧力とし、前記第２の力を第２圧迫圧力とする、
請求項１４から請求項２４のいずれか１項に記載の制御方法。
【請求項２７】
放射線源、放射線検出器、及び前記放射線源と前記放射線検出器との間に配置された乳房を圧迫状態にする圧迫部材を含み、前記圧迫状態の前記乳房に対して、所定の照射角度から前記放射線源により放射線を照射して放射線画像を撮影する単純撮影と、前記圧迫状態の乳房に対して異なる複数の照射角度の各々から、前記放射線源により順次放射線を照射して前記複数の照射角度毎に投影画像を撮影するトモシンセシス撮影と、が可能なマンモグラフィ装置が前記乳房を前記圧迫状態としたままで、前記単純撮影及び前記トモシンセシス撮影を連続して行う連続撮影の場合、前記単純撮影及び前記トモシンセシス撮影のうちの先に行う一方の撮影では、前記圧迫部材により前記乳房を圧迫する力を第１の力とし、
前記一方の撮影の後に、前記圧迫部材により前記乳房を圧迫する力を前記第１の力から前記第１の力よりも小さい第２の力に変更し、前記単純撮影及び前記トモシンセシス撮影のうちの後に行う他方の撮影では、前記圧迫部材による前記乳房を圧迫する力を前記第２の力とする制御を行う、
処理をコンピュータに実行させるための制御プログラム。
【発明の詳細な説明】
【技術分野】
【０００１】
本開示は、放射線画像撮影システム、制御方法、及び制御プログラムに関する。
【背景技術】
【０００２】
放射線源から被検者の乳房等の被写体に向けて放射線を照射させ、被写体を透過した放射線を放射線検出器により検出することにより放射線画像を撮影するマンモグラフィ装置が知られている。また、マンモグラフィ装置で行われる撮影の種類として、単純撮影及びトモシンセシス撮影が知られている。単純撮影とは、乳房に放射線Ｒを１回、照射して１枚の２次元画像を取得する撮影のことをいう。また、トモシンセシス撮影とは、被写体に対して異なる複数の照射角度の各々から、放射線源により順次放射線を照射して複数の照射角度毎に投影画像を取得する撮影のことをいう。
【０００３】
特許文献１には、圧迫状態の乳房を被写体として、単純撮影及びトモシンセシス撮影を行うマンモグラフィ装置が開示されている。
【０００４】
とこで、一般的にマンモグラフィ装置では、圧迫部材により乳房を圧迫した状態で放射線画像の撮影が行われる。圧迫部材によって乳房を圧迫されることにより、乳房が潰されたり伸ばされたりするため、被検者は痛みを感じることが多く、被検者の負担となっている。
【０００５】
そこで、特許文献２には、圧迫部材により乳房を圧迫されることによる被検者の痛みを緩和する技術が記載されている。
【先行技術文献】
【特許文献】
【０００６】
【特許文献１】米国特許７８３１２９６号公報
【特許文献２】特開２０１７−２２５６３３号公報
【発明の概要】
【発明が解決しようとする課題】
【０００７】
しかしながら、圧迫部材により乳房を圧迫されることによる被検者の痛みのさらなる緩和が求められている。
【０００８】
本開示は、上記事情を考慮して成されたもので、被検者の痛みをさらに効果的に緩和することができる、放射線画像撮影システム、制御方法、及び制御プログラムを提供することを目的とする。
【課題を解決するための手段】
【０００９】
上記目的を達成するために本開示の第１の態様の放射線画像撮影システムは、放射線源、放射線検出器、及び放射線源と放射線検出器との間に配置された乳房を圧迫状態にする圧迫部材を含み、圧迫状態の乳房に対して、所定の照射角度から放射線源により放射線を照射して放射線画像を撮影する単純撮影と、圧迫状態の乳房に対して異なる複数の照射角度の各々から、放射線源により順次放射線を照射して複数の照射角度毎に投影画像を撮影するトモシンセシス撮影と、が可能なマンモグラフィ装置と、マンモグラフィ装置が乳房を圧迫状態としたままで、単純撮影及びトモシンセシス撮影を連続して行う連続撮影の場合、単純撮影及びトモシンセシス撮影のうちの先に行う一方の撮影では、圧迫部材により乳房を圧迫する力を第１の力とし、一方の撮影の後に、圧迫部材により乳房を圧迫する力を第１の力から第１の力よりも小さい第２の力に変更し、単純撮影及びトモシンセシス撮影のうちの後に行う他方の撮影では、圧迫部材による乳房を圧迫する力を第２の力とする制御を行う圧迫制御部を含む制御装置と、を備える。
【００１０】
本開示の第２の態様の放射線画像撮影システムは、第１の態様の放射線画像撮影システムにおいて、圧迫制御部は、連続撮影が、トモシンセシス撮影の後に単純撮影を行う撮影である場合、トモシンセシス撮影の後に、乳房を圧迫する力を第１の力から第２の力に変更する制御を行い、連続撮影が、単純撮影の後にトモシンセシス撮影を行う場合、単純撮影の後に乳房を圧迫する力を第１の力から第２の力に変更するのに代えて、単純撮影の後に第１の力から第１の力よりも大きい第３の力に変更し、トモシンセシス撮影では、乳房を圧迫する力を第３の力とする制御を行う。
【００１１】
本開示の第３の態様の放射線画像撮影システムは、第１の態様の放射線画像撮影システムにおいて、圧迫制御部は、連続撮影が、トモシンセシス撮影の後に単純撮影を行う撮影である場合、トモシンセシス撮影の後に乳房を圧迫する力を第１の力から第２の力に変更する制御を行い、連続撮影が、単純撮影の後にトモシンセシス撮影を行う撮影である場合、単純撮影の後に乳房を圧迫する力を第１の力から第２の力に変更するのに代えて、単純撮影の後に乳房を圧迫する力を第１の力のままとする制御を行う。
【００１２】
本開示の第４の態様の放射線画像撮影システムは、第１の態様の放射線画像撮影システムにおいて、圧迫制御部は、他方の撮影がトモシンセシス撮影である場合は、第１のトモシンセシス撮影モードの場合、一方の撮影の後に乳房を圧迫する力を第１の力から第２の力に変更する制御を行い、第１のトモシンセシス撮影モードよりも照射角度の範囲が広い第２のトモシンセシス撮影モードの場合、単純撮影の後に乳房を圧迫する力を第１の力から第２の力に変更するのに代えて、単純撮影の後に乳房を圧迫する力を第１の力のままとする制御を行う。
【００１３】
本開示の第５の態様の放射線画像撮影システムは、第１の態様の放射線画像撮影システムにおいて、圧迫制御部は、マンモグラフィ装置により撮影された放射線画像及び投影画像の少なくとも一方の画像に基づいて、一方の撮影の後に乳房を圧迫する力を第１の力から第２の力に変更するのに代えて、一方の撮影の後に乳房を圧迫する力を第１の力のままとする制御を行う。
【００１４】
本開示の第６の態様の放射線画像撮影システムは、第５の態様の放射線画像撮影システムにおいて、圧迫制御部は、一方の画像に基づいて、乳房に人工物が含まれていないと推定される場合、一方の撮影の後に乳房を圧迫する力を第１の力から第２の力に変更する制御を行い、乳房に人工物が含まれていると推定される場合、一方の撮影の後に乳房を圧迫する力を第１の力から第２の力に変更するのに代えて、一方の撮影の後に乳房を圧迫する力を第１の力のままとする制御を行う。
【００１５】
本開示の第７の態様の放射線画像撮影システムは、第１の態様から第６の態様のいずれか１態様の放射線画像撮影システムにおいて、一方の撮影の終了後、他方の撮影の前に放射線源を移動させる場合、放射線源の移動期間と、一方の撮影の終了後に乳房を圧迫する力を変更する変更期間とが重なる。
【００１６】
本開示の第８の態様の制御装置は、第１の態様から第７の態様のいずれか１態様に記載の放射線画像撮影システムにおいて、マンモグラフィ装置は、散乱線を除去するグリッドと、単純撮影の場合、グリッドを放射線源と放射線検出器との間の位置である第１位置に移動し、トモシンセシス撮影の場合、グリッドを第１位置とは異なる位置でかつ放射線源から見て放射線検出器より退避された位置である第２位置に移動させるグリッド移動部と、をさらに備え、連続撮影において、グリッド移動部がグリッドを第１位置及び第２位置の一方の位置から他方の位置へ移動させる移動期間と、一方の撮影の終了後に乳房を圧迫する力を変更する変更期間とが重なる。
【００１７】
本開示の第９の態様の制御装置は、第８の態様の放射線画像撮影システムにおいて、連続撮影が、単純撮影の後にトモシンセシス撮影を行う撮影である場合、グリッド移動部がグリッドを第１位置から第２位置へ移動させる移動期間と、一方の撮影の終了後に乳房を圧迫する力を変更する変更期間とが重なる。
【００１８】
本開示の第１０の態様の制御装置は、第８の態様または第９の態様の放射線画像撮影システムにおいて、連続撮影が、トモシンセシス撮影の後に単純撮影を行う撮影である場合、グリッド移動部がグリッドを第２位置から第１位置へ移動させる移動期間と、一方の撮影の終了後に乳房を圧迫する力を変更する変更期間とが重なる。
【００１９】
本開示の第１１の態様の制御装置は、第１の態様から第１０の態様のいずれか１態様に記載の放射線画像撮影システムにおいて、圧迫制御部は、圧迫部材を、圧迫解除方向に移動させることにより、第１の力から第２の力に変更する制御を行う。
【００２０】
本開示の第１２の態様の制御装置は、第１の態様から第１１の態様のいずれか１態様に記載の放射線画像撮影システムにおいて、乳房を圧迫する力は、乳房全体を圧迫する圧迫力であり、第１の力を第１圧迫力とし、第２の力を第２圧迫力とする。
【００２１】
本開示の第１３の態様の制御装置は、第１の態様から第１１の態様のいずれか１態様に記載の放射線画像撮影システムにおいて、乳房を圧迫する力は、単位面積当たりの圧迫力である圧迫圧力であり、第１の力を第１圧迫圧力とし、第２の力を第２圧迫圧力とする。
【００２２】
また、上記目的を達成するために本開示の第１４の態様の制御方法は、放射線源、放射線検出器、及び放射線源と放射線検出器との間に配置された乳房を圧迫状態にする圧迫部材を含み、圧迫状態の乳房に対して、所定の照射角度から放射線源により放射線を照射して放射線画像を撮影する単純撮影と、圧迫状態の乳房に対して異なる複数の照射角度の各々から、放射線源により順次放射線を照射して複数の照射角度毎に投影画像を撮影するトモシンセシス撮影と、が可能なマンモグラフィ装置が乳房を圧迫状態としたままで、単純撮影及びトモシンセシス撮影を連続して行う連続撮影の場合、単純撮影及びトモシンセシス撮影のうちの先に行う一方の撮影では、圧迫部材により乳房を圧迫する力を第１の力とし、一方の撮影の後に、圧迫部材により乳房を圧迫する力を第１の力から第１の力よりも小さい第２の力に変更し、単純撮影及びトモシンセシス撮影のうちの後に行う他方の撮影では、圧迫部材による乳房を圧迫する力を第２の力とする制御を行う、処理をコンピュータが実行する制御方法である。
【００２３】
本開示の第１５の態様の制御方法は、第１４の態様の制御方法において、連続撮影が、トモシンセシス撮影の後に単純撮影を行う撮影である場合、トモシンセシス撮影の後に、乳房を圧迫する力を第１の力から第２の力に変更する制御を行い、連続撮影が、単純撮影の後にトモシンセシス撮影を行う場合、単純撮影の後に乳房を圧迫する力を第１の力から第２の力に変更するのに代えて、単純撮影の後に第１の力から第１の力よりも大きい第３の力に変更し、トモシンセシス撮影では、乳房を圧迫する力を第３の力とする制御を行う。
【００２４】
本開示の第１６の態様の制御方法は、第１４の態様の制御方法において、連続撮影が、トモシンセシス撮影の後に単純撮影を行う撮影である場合、トモシンセシス撮影の後に乳房を圧迫する力を第１の力から第２の力に変更する制御を行い、連続撮影が、単純撮影の後にトモシンセシス撮影を行う撮影である場合、単純撮影の後に乳房を圧迫する力を第１の力から第２の力に変更するのに代えて、単純撮影の後に乳房を圧迫する力を第１の力のままとする制御を行う。
【００２５】
本開示の第１７の態様の制御方法は、第１４の態様の制御方法において、他方の撮影がトモシンセシス撮影である場合は、第１のトモシンセシス撮影モードの場合、一方の撮影の後に乳房を圧迫する力を第１の力から第２の力に変更する制御を行い、第１のトモシンセシス撮影モードよりも照射角度の範囲が広い第２のトモシンセシス撮影モードの場合、単純撮影の後に乳房を圧迫する力を第１の力から第２の力に変更するのに代えて、単純撮影の後に乳房を圧迫する力を第１の力のままとする制御を行う。
【００２６】
本開示の第１８の態様の制御方法は、第１４の態様の制御方法において、マンモグラフィ装置により撮影された放射線画像及び投影画像の少なくとも一方の画像に基づいて、一方の撮影の後に乳房を圧迫する力を第１の力から第２の力に変更するのに代えて、一方の撮影の後に乳房を圧迫する力を第１の力のままとする制御を行う。
【００２７】
本開示の第１９の態様の制御方法は、第１８の態様の制御方法において、一方の画像に基づいて、乳房に人工物が含まれていないと推定される場合、一方の撮影の後に乳房を圧迫する力を第１の力から第２の力に変更する制御を行い、乳房に人工物が含まれていると推定される場合、一方の撮影の後に乳房を圧迫する力を第１の力から第２の力に変更するのに代えて、一方の撮影の後に乳房を圧迫する力を第１の力のままとする制御を行う。
【００２８】
本開示の第２０の態様の制御方法は、第１４の態様から第１９の態様のいずれか１態様の制御方法において、一方の撮影の終了後、他方の撮影の前に放射線源を移動させる場合、放射線源の移動期間と、一方の撮影の終了後に乳房を圧迫する力を変更する変更期間とが重なる。
【００２９】
本開示の第２１の態様の制御方法は、第１４の態様から第２０の態様のいずれか１態様の制御方法において、単純撮影の場合、マンモグラフィ装置が備える散乱線を除去するグリッドを放射線源と放射線検出器との間の位置である第１位置に移動し、トモシンセシス撮影の場合、グリッドを第１位置とは異なる位置でかつ放射線源から見て放射線検出器より退避された位置である第２位置に移動させる処理をさらに含み、連続撮影において、グリッドを第１位置及び第２位置の一方の位置から他方の位置へ移動させる移動期間と、一方の撮影の終了後に乳房を圧迫する力を変更する変更期間とが重なる。
【００３０】
本開示の第２２の態様の制御方法は、第２１の態様の制御方法において、連続撮影が、単純撮影の後にトモシンセシス撮影を行う撮影である場合、グリッドを第１位置から第２位置へ移動させる移動期間と、一方の撮影の終了後に乳房を圧迫する力を変更する変更期間とが重なる。
【００３１】
本開示の第２３の態様の制御方法は、第２１の態様または第２２の態様の制御方法において、連続撮影が、トモシンセシス撮影の後に単純撮影を行う撮影である場合、グリッドを第２位置から第１位置へ移動させる移動期間と、一方の撮影の終了後に乳房を圧迫する力を変更する変更期間とが重なる。
【００３２】
本開示の第２４の態様の制御方法は、第１４の態様から第２３の態様のいずれか１態様の制御方法において、圧迫部材を、圧迫解除方向に移動させることにより、第１の力から第２の力に変更する制御を行う。
【００３３】
本開示の第２５の態様の制御方法は、第１４の態様から第２４の態様のいずれか１態様の制御方法において、乳房を圧迫する力は、乳房全体を圧迫する圧迫力であり、第１の力を第１圧迫力とし、第２の力を第２圧迫力とする。
【００３４】
本開示の第２６の態様の制御方法は、第１４の態様から第２４の態様のいずれか１態様の制御方法において、乳房を圧迫する力は、単位面積当たりの圧迫力である圧迫圧力であり、第１の力を第１圧迫圧力とし、第２の力を第２圧迫圧力とする。
【００３５】
また、上記目的を達成するために本開示の第２７の態様の制御プログラムは、放射線源、放射線検出器、及び放射線源と放射線検出器との間に配置された乳房を圧迫状態にする圧迫部材を含み、圧迫状態の乳房に対して、所定の照射角度から放射線源により放射線を照射して放射線画像を撮影する単純撮影と、圧迫状態の乳房に対して異なる複数の照射角度の各々から、放射線源により順次放射線を照射して複数の照射角度毎に投影画像を撮影するトモシンセシス撮影と、が可能なマンモグラフィ装置が乳房を圧迫状態としたままで、単純撮影及びトモシンセシス撮影を連続して行う連続撮影の場合、単純撮影及びトモシンセシス撮影のうちの先に行う一方の撮影では、圧迫部材により乳房を圧迫する力を第１の力とし、一方の撮影の後に、圧迫部材により乳房を圧迫する力を第１の力から第１の力よりも小さい第２の力に変更し、単純撮影及びトモシンセシス撮影のうちの後に行う他方の撮影では、圧迫部材による乳房を圧迫する力を第２の力とする制御を行う処理をコンピュータに実行させるためのものである。
【００３６】
また、本開示の制御装置は、プロセッサを有する制御装置であって、プロセッサが、放射線源、放射線検出器、及び放射線源と放射線検出器との間に配置された乳房を圧迫状態にする圧迫部材を含み、圧迫状態の乳房に対して、所定の照射角度から放射線源により放射線を照射して放射線画像を撮影する単純撮影と、圧迫状態の乳房に対して異なる複数の照射角度の各々から、放射線源により順次放射線を照射して複数の照射角度毎に投影画像を撮影するトモシンセシス撮影と、が可能なマンモグラフィ装置が乳房を圧迫状態としたままで、単純撮影及びトモシンセシス撮影を連続して行う連続撮影の場合、単純撮影及びトモシンセシス撮影のうちの先に行う一方の撮影では、圧迫部材により乳房を圧迫する力を第１の力とし、一方の撮影の後に、圧迫部材により乳房を圧迫する力を第１の力から第１の力よりも小さい第２の力に変更し、単純撮影及びトモシンセシス撮影のうちの後に行う他方の撮影では、圧迫部材による乳房を圧迫する力を第２の力とする制御を行う。
【発明の効果】
【００３７】
本開示によれば、被検者の痛みをさらに効果的に緩和することができる。
【図面の簡単な説明】
【００３８】
【図１】第１実施形態の医用撮影システムにおける全体の構成の一例を概略的に表した構成図である。
【図２】第１実施形態のコンソール及びマンモグラフィ装置の構成の一例を表したブロック図である。
【図３】第１実施形態のマンモグラフィ装置の外観の一例を表す側面図である。
【図４】第１実施形態のマンモグラフィ装置によるトモシンセシス撮影を説明するための図である。
【図５】第１実施形態におけるモータにかかる負荷により圧迫力を検出する場合の構成の一例を説明するための図である。
【図６】第１実施形態のマンモグラフィ装置の機能の一例を表す機能ブロック図である。
【図７】第１実施形態の画像保存システムの構成の一例を表したブロック図である。
【図８】第１実施形態のマンモグラフィ装置における圧迫制御処理の流れの一例を表したフローチャートである。
【図９】第１実施形態のマンモグラフィ装置における連続撮影を行う場合の圧迫制御部及び撮影制御部の動作の一例を表すタイムチャートである。
【図１０】第実施形態のマンモグラフィ装置における圧迫制御処理の流れの一例を表したフローチャートである。
【図１１】第２実施形態のマンモグラフィ装置における連続撮影を行う場合の圧迫制御部及び撮影制御部の動作の一例を表すタイムチャートである。
【図１２】第３実施形態のマンモグラフィ装置における圧迫制御処理の流れの一例を表したフローチャートである。
【図１３】第３実施形態のマンモグラフィ装置における圧迫制御処理の流れの他の例を表したフローチャートである。
【図１４】第４実施形態のマンモグラフィ装置における圧迫制御処理の流れの一例を表したフローチャートである。
【図１５】第５実施形態のマンモグラフィ装置における圧迫制御処理の流れの一例を表したフローチャートである。
【図１６】第６実施形態のコンソール及びマンモグラフィ装置の構成の一例を表したブロック図である。
【図１７】圧力センサを説明するための図である。
【図１８】第６実施形態のマンモグラフィ装置の機能の一例を表す機能ブロック図である。
【図１９】第７実施形態のコンソール及びマンモグラフィ装置の構成の一例を表したブロック図である。
【図２０】第７実施形態のマンモグラフィ装置における連続撮影を行う場合の圧迫制御部及び撮影制御部の動作の一例を表すタイムチャートである。
【図２１】第７実施形態のマンモグラフィ装置における連続撮影を行う場合の圧迫制御部及び撮影制御部の動作の他の例を表すタイムチャートである。
【発明を実施するための形態】
【００３９】
以下、図面を参照して本発明の実施形態を詳細に説明する。なお、各実施形態は本発明を限定するものではない。また、各実施形態では、一例として本開示の関心物が乳腺である場合について説明する。
【００４０】
［第１実施形態］
本実施形態では、乳房全体を圧迫する圧迫力、を本開示の乳房を圧迫する力の一例とした形態について説明する。
まず、本実施形態の医用撮影システムにおける、全体の構成の一例について説明する。図１には、本実施形態の医用撮影システム１における、全体の構成の一例を表す構成図が示されている。
【００４１】
図１に示すように、本実施形態の医用撮影システム１は、放射線画像撮影システム２、及び画像保存システム１８を備える。
【００４２】
まず、放射線画像撮影システム２の構成について説明する。放射線画像撮影システム２は、マンモグラフィ装置１０及びコンソール１２を含む。図２には、マンモグラフィ装置１０及びコンソール１２の構成の一例を表すブロック図が示されている。また、図３には、本実施形態のマンモグラフィ装置１０の外観の一例を表す側面図が示されている。
【００４３】
本実施形態のマンモグラフィ装置１０は、被検者の乳房を被写体として、乳房に放射線Ｒ（例えば、Ｘ線）を照射して乳房の放射線画像を撮影する装置である。なお、マンモグラフィ装置１０は、被検者が起立している状態（立位状態）のみならず、被検者が椅子（車椅子を含む）等に座った状態（座位状態）において、被検者の乳房を撮影する装置であってもよい。
【００４４】
図２に示すように、本実施形態のマンモグラフィ装置１０は、制御部２０、記憶部２２、Ｉ／Ｆ（Interface）部２４、操作部２６、放射線検出器３０、圧迫板駆動部３２、圧迫力検出センサ３３、圧迫板３４、放射線照射部３６、及び線源移動部３７を備える。制御部２０、記憶部２２、Ｉ／Ｆ部２４、操作部２６、放射線検出器３０、圧迫板駆動部３２、圧迫力検出センサ３３、放射線照射部３６、及び線源移動部３７は、システムバスやコントロールバス等のバス３９を介して相互に各種情報の授受が可能に接続されている。
【００４５】
本実施形態の制御部２０は、コンソール１２の制御に応じて、マンモグラフィ装置１０の全体の動作を制御する。制御部２０は、ＣＰＵ（Central Processing Unit）２０Ａ、ＲＯＭ（Read Only Memory）２０Ｂ、及びＲＡＭ（Random Access Memory）２０Ｃを備える。ＲＯＭ２０Ｂには、ＣＰＵ２０Ａで実行される、放射線画像の撮影に関する制御を行うための撮影処理プログラム２１Ａ及び圧迫制御処理プログラム２１Ｂを含む各種のプログラム等が予め記憶されている。ＲＡＭ２０Ｃは、各種データを一時的に記憶する。なお、本実施形態の圧迫制御処理プログラム２１Ｂが、本開示の制御プログラムの一例である。
【００４６】
放射線検出器３０は、被写体である乳房を通過した放射線Ｒを検出する。図３に示すように、放射線検出器３０は、撮影台４０の内部に配置されている。本実施形態のマンモグラフィ装置１０では、撮影を行う場合、撮影台４０の撮影面４０Ａ上には、被検者の乳房が医師及び技師等のユーザによってポジショニングされる。被検者の乳房が接する撮影面４０Ａ等は、放射線Ｒの透過性や強度の観点から、例えば、カーボン等で形成されている。
【００４７】
放射線検出器３０は、被検体の乳房及び撮影台４０を透過した放射線Ｒを検出し、検出した放射線Ｒに基づいて放射線画像を生成し、生成した放射線画像を表す画像データを出力する。本実施形態の放射線検出器３０の種類は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００４８】
記憶部２２には、放射線検出器３０により撮影された放射線画像の画像データや、その他の各種情報等が記憶される。記憶部２２の具体例としては、ＨＤＤ（Hard Disk Drive）やＳＳＤ（Solid State Drive）等が挙げられる。Ｉ／Ｆ部２４は、無線通信または有線通信により、コンソール１２との間で各種情報の通信を行う。マンモグラフィ装置１０で放射線検出器３０により撮影された放射線画像の画像データは、Ｉ／Ｆ部２４を介してコンソール１２に無線通信または有線通信によって送信される。
【００４９】
操作部２６は、例えば、マンモグラフィ装置１０の撮影台４０等に複数のスイッチとして設けられている。なお、操作部２６は、タッチパネル式のスイッチとして設けられていてもよいし、ユーザが足で操作するフットスイッチとして設けられていてもよい。
【００５０】
放射線照射部３６は、放射線源３６Ｒを備えている。図３に示すように放射線照射部３６は、撮影台４０及び圧迫ユニット４６と共にアーム部４２に設けられている。なお、図３に示すように本実施形態のマンモグラフィ装置１０は、アーム部４２と、基台４４と、軸部４５と、を備えている。アーム部４２は、基台４４によって、上下方向（Ｚ軸方向）に移動可能に保持される。軸部４５は、アーム部４２を基台４４に連結する。またアーム部４２は、線源移動部３７によって軸部４５を回転軸として、基台４４に対して相対的に回転可能となっている。
【００５１】
マンモグラフィ装置１０においてトモシンセシス撮影を行う場合、アーム部４２が回転することにより放射線照射部３６の放射線源３６Ｒが、線源移動部３７により連続的に、照射角度が異なる複数の照射位置の各々に移動される。本実施形態では、図４に示すように放射線源３６Ｒは、予め定められた角度θずつ照射角度が異なる照射位置ｔ（ｔ＝０、１、・・・Ｔ、図４ではＴ＝５）、換言すると放射線検出器３０の検出面３０Ａに対する放射線Ｒの入射角度が異なる位置に移動される。各照射位置において、コンソール１２の指示により放射線源３６Ｒから放射線Ｒが照射され、放射線検出器３０により放射線画像が撮影される。なお、以下では、トモシンセシス撮影において、照射角度が異なる複数の照射位置ｔの各々において放射線検出器３０により撮影された放射線画像を「投影画像」という。放射線画像撮影システム２では、放射線源３６Ｒを照射位置ｔの各々に移動させて、各照射位置ｔで投影画像の撮影を行うトモシンセシス撮影を行った場合、Ｔ枚の投影画像が得られる。
【００５２】
以下では、図４に示すように、トモシンセシス撮影における照射角度の範囲を「照射角度範囲」という。本実施形態のマンモグラフィ装置１０では、トモシンセシス撮影を行う場合、標準（ＳＴ：Standard）モードと、高鮮鋭（ＨＲ：High Resolution）モードと二つのモードがある。図４に示すように、標準モードの照射角度範囲ＳＴよりも、高鮮鋭モードの照射角度範囲ＨＲのほうが、照射角度範囲が広い。なお、一例として、本実施形態のマンモグラフィ装置１０では、標準モードの場合と、高鮮鋭モードの場合とで、照射位置ｔの数を同一、換言すると撮影される投影画像の枚数を同一としている。そのため、標準モードでは、照射位置ｔ毎の照射角度の差が小さく、また、高鮮鋭モードに比べて撮影時間が短くなる。一方、高鮮鋭モードでは、照射位置ｔ毎の照射角度の差が大きく、また、標準モードに比べて深さ方向の分解能に優れる。なお、標準モードが、本開示の第１のトモシンセシス撮影モードの一例であり、高鮮鋭モードが、本開示の第２のトモシンセシス撮影モードの一例である。
【００５３】
一方、マンモグラフィ装置１０において単純撮影を行う場合、放射線照射部３６の放射線源３６Ｒは、放射線検出器３０の法線ＣＬに沿った照射位置ｔ（照射角度０度）のままとされる。なお、「単純撮影」とは、乳房に放射線Ｒを１回、照射して１枚の２次元画像を取得する撮影のことをいう。以下では、単純撮影において放射線検出器３０により撮影された放射線画像を「２次元画像」という。また、投影画像及び２次元画像の各々を区別せずに総称する場合は、単に「放射線画像」という。
【００５４】
また、図３及び図５に示すように、圧迫板駆動部３２、圧迫力検出センサ３３、及び圧迫板３４は、圧迫ユニット４６に設けられている。圧迫ユニット４６と、アーム部４２とは、軸部４５を回転軸として、別々に、基台４４に対して相対的に回転可能となっている。本実施形態では、軸部４５、アーム部４２、及び圧迫ユニット４６にそれぞれギア（図示省略）が設けられ、このギア同士の噛合状態及び非噛合状態を切替えることにより、アーム部４２及び圧迫ユニット４６の各々が軸部４５に連結される。軸部４５に連結されたアーム部４２及び圧迫ユニット４６の一方または両方が、軸部４５と一体に回転する。
【００５５】
本実施形態の圧迫板３４は、板状の圧迫部材であり、圧迫板駆動部３２により上下方向（Ｚ軸方向）に移動し、撮影台４０との間で被検者の乳房を圧迫する。図３に示すように、圧迫板３４の移動方向について、また、乳房を圧迫する方向、換言すると、撮影面４０Ａに近付く方向を「圧迫方向」といい、乳房への圧迫を解除する方向、換言すると、放射線照射部３６に近付く方向を「圧迫解除方向」という。
【００５６】
図５に示すように、圧迫ユニット４６内には、モータ３１及びボールネジ３８を含む圧迫板駆動部３２と、圧迫力検出センサ３３と、が備えられている。圧迫力検出センサ３３は、圧迫板３４により乳房全体を圧迫する圧迫力を検出する機能を有する。図５に示した一例では、圧迫力検出センサ３３が、圧迫板３４の駆動源としてのモータ３１にかかる負荷に基づいて圧迫力を検出する場合の構成を示している。圧迫板３４は、ボールネジ３８に支持されており、モータ３１が駆動することにより、撮影台４０と放射線源３６Ｒとの間でスライド移動する。本実施形態の圧迫力検出センサ３３はロードセル等の歪ゲージであり、圧迫力検出センサ３３が、圧迫板３４による圧迫力の反力を検出することにより、圧迫板３４により乳房を圧迫する圧迫力を検出する。
【００５７】
なお、圧迫力を検出する方法は、これに限らず、例えば、圧迫力検出センサ３３は、半導体式圧力センサ、及び静電容量式圧力センサ等であってもよい。また例えば、圧迫板３４に圧迫力検出センサ３３を設けておいてもよい。
【００５８】
圧迫板３４は、乳房の圧迫において位置合わせや圧迫状態の確認を行うために光学的に透明であることが好ましく、また、放射線Ｒの透過性に優れた材料によって形成される。圧迫板３４の材料としては、例えば、ポリメチルペンテン、ポリカーボネート、アクリル、及びポリエチレンテレフタレート等の樹脂を用いることができる。なお、圧迫板３４を構成する部材は、本実施形態に限定されない。例えば、圧迫板３４を構成する部材は、フィルム状の部材であってもよい。なお、本実施形態の圧迫板３４が、本開示の圧迫部材の一例である。
【００５９】
さらに、図６には、本実施形態のマンモグラフィ装置１０の構成の一例の機能ブロック図を示す。図６に示すように本実施形態のマンモグラフィ装置１０は、圧迫制御部８０及び撮影制御部８２を備える。一例として本実施形態のマンモグラフィ装置１０は、制御部２０のＣＰＵ２０ＡがＲＯＭ２０Ｂに記憶されている圧迫制御処理プログラム２１Ｂを実行することにより、制御部２０が、圧迫制御部８０として機能する。本実施形態のマンモグラフィ装置１０は、本開示の制御装置の一例である。また、一例として本実施形態のマンモグラフィ装置１０は、制御部２０のＣＰＵ２０ＡがＲＯＭ２０Ｂに記憶されている撮影処理プログラム２１Ａを実行することにより、制御部２０が、撮影制御部８２として機能する。
【００６０】
マンモグラフィ装置１０の撮影制御部８２には、放射線検出器３０、線源移動部３７、及び放射線源３６Ｒが接続されている。撮影制御部８２は、放射線検出器３０による放射線画像の撮影の制御、線源移動部３７による、放射線源３６Ｒ（放射線照射部３６）の移動、及び放射線源３６Ｒからの放射線Ｒの照射の制御を行う。
【００６１】
一方、マンモグラフィ装置１０の圧迫制御部８０には、圧迫力検出センサ３３の検出結果である圧迫力を表す情報が入力される。また、圧迫制御部８０は、圧迫板駆動部３２に、圧迫板３４の移動に関する指示を出力する。
【００６２】
圧迫制御部８０は、マンモグラフィ装置１０が乳房を圧迫状態としたままで、単純撮影及びトモシンセシス撮影を連続して行う連続撮影の場合、単純撮影及びトモシンセシス撮影のうちの先に行う一方の撮影では、圧迫板３４による乳房の圧迫力を第１圧迫力とする制御を行う。また、圧迫制御部８０は、一方の撮影の後に、圧迫板３４による圧迫力を第１圧迫力から第１圧迫力よりも小さい第２圧迫力に変更し、単純撮影及びトモシンセシス撮影のうちの後に行う他方の撮影では、圧迫板３４による乳房の圧迫力を第２圧迫力とする制御を行う。
【００６３】
本実施形態のマンモグラフィ装置１０では、乳房を圧迫板３４により圧迫した圧迫状態のままで連続撮影を行う場合がある。圧迫制御部８０は、連続撮影の場合、圧迫板３４により乳房を圧迫し続ける影時間が長くなるため、トモシンセシス撮影及び単純撮影のうち、後に行う撮影における圧迫力を、先に行う撮影における圧迫力よりも小さくすることで、乳房を圧迫されていることにより生じる被検者の痛みを緩和する。
【００６４】
一方、本実施形態のコンソール１２は、無線通信ＬＡＮ（Local Area Network）等を介してＲＩＳ（Radiology Information System）５等から取得した撮影オーダ及び各種情報と、操作部５６等によりユーザにより行われた指示等とを用いて、マンモグラフィ装置１０の制御を行う機能を有している。
【００６５】
本実施形態のコンソール１２は、一例として、サーバーコンピュータである。図２に示すように、コンソール１２は、制御部５０、記憶部５２、Ｉ／Ｆ部５４、操作部５６、及び表示部５８を備えている。制御部５０、記憶部５２、Ｉ／Ｆ部５４、操作部５６、及び表示部５８はシステムバスやコントロールバス等のバス５９を介して相互に各種情報の授受が可能に接続されている。
【００６６】
本実施形態の制御部５０は、コンソール１２の全体の動作を制御する。制御部５０は、ＣＰＵ５０Ａ、ＲＯＭ５０Ｂ、及びＲＡＭ５０Ｃを備える。ＲＯＭ５０Ｂには、ＣＰＵ５０Ａで実行される、後述する制御処理プログラム５１を含む各種のプログラム等が予め記憶されている。ＲＡＭ５０Ｃは、各種データを一時的に記憶する。
【００６７】
記憶部５２には、マンモグラフィ装置１０で撮影された放射線画像の画像データや、その他の各種情報等が記憶される。記憶部５２の具体例としては、ＨＤＤやＳＳＤ等が挙げられる。
【００６８】
操作部５６は、放射線Ｒの照射指示を含む放射線画像の撮影等に関する指示や各種情報等をユーザが入力するために用いられる。そのため、本実施形態の操作部５６は、放射線Ｒの照射を指示する場合に、ユーザが押圧する照射指示ボタンが少なくとも含まれる。なお、操作部５６は特に限定されるものではなく、例えば、各種スイッチ、タッチパネル、タッチペン、及びマウス等が挙げられる。表示部５８は、各種情報を表示する。なお、操作部５６と表示部５８とを一体化してタッチパネルディスプレイとしてもよい。
【００６９】
Ｉ／Ｆ部５４は、無線通信または有線通信により、マンモグラフィ装置１０、ＲＩＳ５、及び画像保存システム１８との間で各種情報の通信を行う。本実施形態の放射線画像撮影システム２では、マンモグラフィ装置１０で撮影された放射線画像の画像データは、コンソール１２が、Ｉ／Ｆ部５４を介して無線通信または有線通信によりマンモグラフィ装置１０から受信する。
【００７０】
次に、画像保存システム１８の構成について説明する。図７には、画像保存システム１８の構成の一例を表すブロック図が示されている。画像保存システム１８は、放射線画像撮影システム２により撮影された放射線画像の画像データを保存するシステムである。画像保存システム１８は、保存している放射線画像から、コンソール１２及びその他の読影装置（図示省略）等からの要求に応じた画像を取り出して、要求元の装置に送信する。画像保存システム１８の具体例としては、ＰＡＣＳ（Picture Archiving and Communication Systems）が挙げられる。
【００７１】
図７に示すように、画像保存システム１８は、制御部７０、記憶部７２、及びＩ／Ｆ部７４を備えている。制御部７０、記憶部７２、及びＩ／Ｆ部７４はシステムバスやコントロールバス等のバス７９を介して相互に各種情報の授受が可能に接続されている。
【００７２】
本実施形態の制御部７０は、画像保存システム１８の全体の動作を制御する。制御部７０は、ＣＰＵ７０Ａ、ＲＯＭ７０Ｂ、及びＲＡＭ７０Ｃを備える。ＲＯＭ７０Ｂには、ＣＰＵ７０Ａで実行される、各種のプログラム等が予め記憶されている。ＲＡＭ７０Ｃは、各種データを一時的に記憶する。
【００７３】
記憶部７２は、放射線画像の画像データを、撮影オーダや被検者に関する情報等と関連付けて記憶する、いわゆるデータベースである。
【００７４】
Ｉ／Ｆ部７４は、無線通信または有線通信により、コンソール１２との間で各種情報の通信を行う機能を有している。
【００７５】
次に、本実施形態のマンモグラフィ装置１０の作用について図面を参照して説明する。
本実施形態のマンモグラフィ装置１０は、一例として、コンソール１２から撮影オーダと、撮影開始の指示とを受信した場合、制御部２０のＣＰＵ２０Ａが、ＲＯＭ２０Ｂに記憶されている圧迫制御処理プログラム２１Ｂを実行することにより、図８に一例を示した圧迫制御処理を実行する。図８には、本実施形態のマンモグラフィ装置１０における圧迫制御処理の流れの一例を表したフローチャートが示されている。また、図９には、本実施形態のマンモグラフィ装置１０における連続撮影を行う場合の圧迫制御部８０及び撮影制御部８２の動作の一例を表すタイムチャートが示されている。以下、図９に示したタイムチャートを参照しつつ、圧迫制御部８０における圧迫制御処理の流れを説明する。
【００７６】
まず、図８のステップＳ１００で圧迫制御部８０は、ユーザによって操作部２６により圧迫の指示が行われたか否かを判定する。本実施形態のマンモグラフィ装置１０において放射線画像の撮影を行う場合、まず、ユーザは、マンモグラフィ装置１０の撮影台４０の撮影面４０Ａ上に、被検者の乳房をポジショニングする。ポジショニングが完了すると、ユーザは、操作部２６により圧迫を指示する。圧迫の指示が未だ行われていない場合、ステップＳ１００の判定が否定判定となる。一方、圧迫の指示が行われると、ステップＳ１００の判定が肯定判定となり、ステップＳ１０２へ移行する。
【００７７】
次のステップＳ１０２で圧迫制御部８０は、圧迫の指示に応じて、圧迫板駆動部３２によって圧迫方向へ圧迫板３４を移動させて、圧迫板３４により撮影台４０の撮影面４０Ａとの間で乳房を第１圧迫力で圧迫する。図９のタイムチャートに示すように、タイミングｔ１００で圧迫方向へ圧迫板３４の移動を開始させると、圧迫板３４による圧迫力が第１圧迫力になったタイミングｔ１０２までの圧迫期間中、圧迫制御部８０が圧迫板駆動部３２によって圧迫方向へ圧迫板３４を移動させる。
【００７８】
圧迫板３４により乳房を圧迫することにより、乳腺組織の重なりを展開し、良性病変及び悪性病変のいずれであるかの判断等を行いやすくすることができる。また、圧迫板３４により圧迫することで、乳房を撮影台４０に固定することにより、被検者の体動を抑制するため、体動により生じる放射線画像のボケを抑制することができる。さらに、圧迫板３４により乳房を圧迫することで乳房の厚みが薄くなるため、乳房の被曝を低減することができる。
【００７９】
次のステップＳ１０４で圧迫制御部８０は、連続撮影を行うか否かを判定する。一例として、本実施形態の撮影制御部８２は、撮影オーダに、連続撮影が指示されていた場合、連続撮影を行うと判定する。なお、本実施形態では、連続撮影を行う場合、単純撮影を行った後、トモシンセシス撮影を行う。連続撮影を行う場合、ステップＳ１０４の判定が肯定判定となり、ステップＳ１０６へ移行する。
【００８０】
一方、圧迫板３４により乳房が固定されると、ユーザは、コンソール１２の操作部５６に含まれる照射指示ボタンを押圧し、放射線Ｒの照射指示を行う。照射指示が行われると、コンソール１２の制御に応じて撮影制御部８２は、図９のタイミングチャートに示すように、タイミングｔ２０３で単純撮影を行う。具体的には、撮影制御部８２は、放射線源３６Ｒから放射線Ｒを、圧迫板３４により圧迫された状態の乳房に向けて照射させる。そして、放射線検出器３０により乳房を透過した放射線Ｒに応じて２次元画像を生成する。撮影された２次元画像の画像データは、コンソール１２に送信される。
【００８１】
そこで、ステップＳ１０６で圧迫制御部８０は、単純撮影が終了したか否かを判定する。一例として本実施形態の圧迫制御部８０は、放射線検出器３０により撮影された２次元画像を表す画像データがコンソール１２に送信された場合、単純撮影が終了したと判定するが、単純撮影の終了を判定する方法は本実施形態に限定されない。例えば、コンソール１２の操作部５６により指示した、単純撮影の終了指示を受け付ける形態としてもよい。
【００８２】
単純撮影が終了するまで、ステップＳ１０６の判定が否定判定となる。一方、単純撮影が終了するとステップＳ１０６の判定が肯定判定となり、ステップＳ１０８へ移行する。
【００８３】
ステップＳ１０８で圧迫制御部８０は、圧迫板３４により第２圧迫力で乳房を圧迫する。具体的には、図９のタイムチャートに示すように、圧迫制御部８０は、圧迫板駆動部３２によって、タイミングｔ１０４で圧迫解除方向へ圧迫板３４の移動を開始させると、圧迫力検出センサ３３により検出された圧迫力が第２圧迫力となったタイミングｔ１０６で圧迫板３４の移動を停止させる。本実施形態では、圧迫力を第１圧迫力から第２圧迫力に変更する期間、図９に示した例では、タイミングｔ１０４からタイミングｔ１０６までの期間を「変更期間」という。
【００８４】
乳房を一旦、第１圧迫力で圧迫した後、圧迫力を小さくして第２圧迫力としても、乳腺組織の展開具合がほとんど変わらない場合があることが、例えば、特開２０１７−２２５６３３号公報、特開２０１７−２２５６３４号公報、及び特開２０１７−２２５６３５号公報等に開示されている。これらの公報によれば、第１圧迫力で乳房を圧迫した後、圧迫板３４を圧迫解除方向に動かして圧迫力を低下させても、乳房の弾性効果により乳房の厚みが戻りにくいことが開示されている。乳房の厚みが戻り難く、乳房の厚みを維持することができるため、乳腺組織の展開具合は、維持される、またはほとんど変わらない。
【００８５】
第２圧迫力は、被検者の痛みを緩和する観点から第１圧迫力よりも小さければよい。一方、乳房の圧迫力が小さすぎると、やはり乳房の厚みが戻ってしまい乳腺組織の展開具合が異なってしまう場合がある。単純撮影（２次元画像）と、トモシンセシス撮影（投影画像）とで、乳腺組織の展開具合が異なると、例えば、石灰化等の写っている位置が変化等してしまうため、好ましくない。また乳房の圧迫力が小さすぎると、被検者の体動が生じ易くなる場合がある。
【００８６】
上記公報によれば、第２圧迫力は、第１圧迫力の４０％〜７０％であることが好ましく、第１圧迫力の５０％であることがより好ましい。もしくは、第２圧迫力は、第１圧迫力よりも４０Ｎ〜１００Ｎ少ないことが好ましく、第１圧迫力よりも５０Ｎ少ないことがより好ましい。換言すると、第１圧迫力は、第２圧迫力の１４３％〜２５０％であることが好ましく、第２圧迫力の２００％であることがより好ましい。もしくは、第１圧迫力は、第２圧迫力よりも４０Ｎ〜１００Ｎ大きいことが好ましく、第２圧迫力よりも５０Ｎ大きいことがより好ましい。また、上記公報によれば、被検者の痛みを効果的に緩和し、かつ被検者の体動を抑制する観点から、第２圧迫力は、４０Ｎ〜１００Ｎであることが好ましい。
【００８７】
一方、図９に示した一例のように撮影制御部８２は、タイミングｔ２０５で、線源移動部３７により、放射線照射部３６の放射線源３６Ｒを、単純撮影の撮影位置にあたる照射位置ｔから、トモシンセシス撮影の開始位置にあたる照射位置ｔに移動させる。なお、上述したようにトモシンセシス撮影には、標準モードと、高鮮鋭モードとがあり、各々の開始位置にあたる照射位置ｔが異なるため、撮影制御部８２は、各モードに応じた開始位置にあたる照射位置ｔに放射線源３６Ｒを移動させる。撮影制御部８２は、放射線源３６Ｒが開始位置にあたる照射位置ｔに達したタイミングｔ２０７で放射線源３６Ｒの移動を停止させる。図９に示すように、本実施形態では、タイミングｔ２０５からタイミングｔ２０７の期間を放射線源３６Ｒの「移動期間」という。
【００８８】
図９に示すように、この単純撮影の終了後の放射線源３６Ｒの移動期間と、圧迫板３４による圧迫力を第１圧迫力から第２圧迫力に変更する変更期間は重なっている。本実施形態のマンモグラフィ装置１０では、このように、放射線源３６Ｒの移動期間と、圧迫力の変更期間との少なくとも一部が重なることにより、乳房を圧迫し続けている期間を短縮することができる。
【００８９】
圧迫板３４により乳房が第２圧迫力で圧迫された状態になり、また、放射線源３６Ｒがトモシンセシス撮影における照射位置ｔまで移動すると、図９に示した一例のように、撮影制御部８２は、タイミングｔ２０９でトモシンセシス撮影を行う。具体的には、線源移動部３７により、各照射位置ｔに放射線源３６Ｒを移動させ、各照射位置において放射線源３６Ｒから放射線Ｒを圧迫板３４により圧迫された状態の乳房に向けて照射させる。そして、各照射位置ｔに応じて、放射線検出器３０により乳房を透過した放射線Ｒに応じて投影画像を生成する。撮影された複数の投影画像の画像データは、コンソール１２に送信される。
【００９０】
そこで、次のステップＳ１１０で圧迫制御部８０は、トモシンセシス撮影が終了したか否かを判定する。一例として本実施形態の放射線画像撮影システム２では、撮影が終了すると、ユーザがマンモグラフィ装置１０の操作部２６により圧迫の解除を指示する。そこで、圧迫制御部８０は、操作部２６により、圧迫の解除が指示された場合、トモシンセシス撮影を終了すると判定する。
【００９１】
トモシンセシス撮影が終了していない場合、換言すると、圧迫の解除が指示されていない場合、ステップＳ１１０の判定が否定判定となる。一方、トモシンセシス撮影が終了した場合、換言すると、圧迫の解除が指示された場合、ステップＳ１１０の判定が肯定判定となり、ステップＳ１１８へ移行する。
【００９２】
ステップＳ１１８で圧迫制御部８０は、圧迫板３４による乳房の圧迫を解除することにより、本圧迫制御処理を終了する。具体的には、図９のタイムチャートに示すように、圧迫制御部８０は、圧迫板駆動部３２によって、タイミングｔ１０８で圧迫解除方向へ圧迫板３４の移動を開始させると、予め定められた初期位置まで移動したタイミングｔ１１０で圧迫板３４の移動を停止させる。予め定められた位置とは、乳房の圧迫が完全に解除される位置である。本実施形態では、乳房の圧迫の解除に要する期間、図９に示した例では、タイミングｔ１０８からタイミングｔ１１０までの期間を「解除期間」という。
【００９３】
一方、撮影オーダに、連続撮影が指示されてなかった場合、換言すると、単純撮影のみ、またはトモシンセシス撮影のみが指示されていた場合、上記ステップＳ１０４の判定が否定判定となり、ステップＳ１１２へ移行する。なお、以下では、連続撮影に対し、単純撮影及びトモシンセシス撮影のいずれか一方のみを行う撮影を「単独撮影」という。
【００９４】
ステップＳ１１２で圧迫制御部８０は、撮影オーダに、トモシンセシス撮影が指示されているか否かを判定する。撮影オーダにトモシンセシス撮影が指示されている場合、ステップＳ１１２の判定が肯定判定となり、ステップＳ１１４へ移行する。ステップＳ１１４で圧迫制御部８０は、上記ステップＳ１１０と同様に、トモシンセシス撮影が終了したか否かを判定する。トモシンセシス撮影が終了するまで、ステップＳ１１４の判定が否定判定となる。一方、トモシンセシス撮影が終了すると、ステップＳ１１４の判定が肯定判定となり、上記ステップＳ１１８へ移行する。
【００９５】
一方、撮影オーダにトモシンセシス撮影が指示されていなかった場合、換言すると、単純撮影が指示されていた場合、ステップＳ１１２の判定が否定判定となり、ステップＳ１１６へ移行する。ステップＳ１１６で圧迫制御部８０は、上記ステップＳ１０６と同様に、単純撮影が終了したか否かを判定する。単純撮影が終了するまで、ステップＳ１１６の判定が否定判定となる。一方、単純撮影が終了すると、ステップＳ１１６の判定が肯定判定となり、上記ステップＳ１１８へ移行する。
【００９６】
このように、本実施形態のマンモグラフィ装置１０の圧迫制御処理では、単純撮影の後にトモシンセシス撮影を行う連続撮影において、圧迫板３４により乳房を第１圧迫力で圧迫して単純撮影を行った後、圧迫力を第１圧迫力から第２圧迫力に小さくする。そして、乳房を第２圧迫力で圧迫して状態でトモシンセシス撮影を行う。従って、本実施形態のマンモグラフィ装置１０によれば、被検者の痛みをさらに効果的に緩和することができる。また、本実施形態のマンモグラフィ装置１０によれば、単純撮影に比べて、撮影時間が長くなる場合が多いトモシンセシス撮影における圧迫力を小さくすることができるため、被検者の痛みをより効果的に緩和することができる。
【００９７】
［第２実施形態］
以下、第２実施形態について詳細に説明する。
第１実施形態では、マンモグラフィ装置１０が連続撮影を行う場合、先に単純撮影を行い、後からトモシンセシス撮影を行う形態について説明した。これに対して本実施形態では、連続撮影を行う場合、先にトモシンセシス撮影を行い、後から単純撮影を行う形態について説明する。
【００９８】
本実施形態の医用撮影システム１の全体構成（図１参照）と、マンモグラフィ装置１０及びコンソール１２の構成（図２及び図３参照）は、第１実施形態と同様であるため説明を省略する。本実施形態では、マンモグラフィ装置１０の圧迫制御部８０及び撮影制御部８２の動作の一部、及び圧迫制御部８０が実行する圧迫制御処理の一部が第１実施形態のマンモグラフィ装置１０と異なるため、異なる動作及び処理について説明する。
【００９９】
本実施形態のマンモグラフィ装置１０は、一例として、コンソール１２から撮影オーダと、撮影開始の指示とを受信した場合、制御部２０のＣＰＵ２０Ａが、ＲＯＭ２０Ｂに記憶されている圧迫制御処理プログラム２１Ｂを実行することにより、図１０に一例を示した圧迫制御処理を実行する。図１０には、本実施形態のマンモグラフィ装置１０における圧迫制御処理の流れの一例を表したフローチャートが示されている。また、図１１には、本実施形態のマンモグラフィ装置１０における連続撮影を行う場合の圧迫制御部８０及び撮影制御部８２の動作の一例を表すタイムチャートが示されている。以下、図１１に示したタイムチャートを参照しつつ、圧迫制御部８０における圧迫制御処理の流れを説明する。
【０１００】
図１０に示すように、本実施形態の圧迫制御処理は、第１実施形態の圧迫制御処理（図８参照）のステップＳ１０６に代わりステップＳ１０７の処理を備え、ステップＳ１１０の代わりにステップＳ１１７の処理を備える点が、異なっている。
【０１０１】
図１０に示すように、本実施形態の圧迫制御処理では、連続撮影を行う場合、換言するとステップＳ１０４の判定が肯定判定となった場合、ステップＳ１０７へ移行する。
【０１０２】
実施形態のマンモグラフィ装置１０における撮影制御部８２は、コンソール１２から受信した撮影オーダに連続撮影が指示されていた場合、撮影の開始指示に応じて、図１１に一例を示したタイムチャートのタイミングｔ２００で、線源移動部３７により、放射線照射部３６の放射線源３６Ｒを、トモシンセシス撮影の開始位置にあたる照射位置ｔに移動させる。なお、上述したようにトモシンセシス撮影には、標準モードと、高鮮鋭モードとがあり、各々の開始位置にあたる照射位置ｔが異なるため、撮影制御部８２は、各モードに応じた開始位置にあたる照射位置ｔに放射線源３６Ｒを移動させる。撮影制御部８２は、放射線源３６Ｒが開始位置にあたる照射位置ｔに達したタイミングｔ２０２で放射線源３６Ｒの移動を停止させる。図１１に示すように、本実施形態では、タイミングｔ２００からタイミングｔ２０２の期間を放射線源３６Ｒの「移動期間」という。
【０１０３】
コンソール１２の制御に応じて撮影制御部８２は、図１１のタイミングチャートに示すように、タイミングｔ２０４で上述のようにトモシンセシス撮影を行う。
【０１０４】
そこでステップＳ１０７で圧迫制御部８０は、トモシンセシス撮影が終了したか否かを判定する。トモシンセシス撮影が終了するまでステップＳ１０７の判定が否定判定となる。一方、トモシンセシス撮影が終了すると、ステップＳ１０７の判定が肯定判定となり、ステップＳ１０８へ移行する。
【０１０５】
ステップＳ１０８で圧迫制御部８０は、第１実施形態で上述したように、圧迫板３４により第２圧迫力で乳房を圧迫する。具体的には、図１１のタイムチャートに示すように、圧迫制御部８０は、圧迫板駆動部３２によって、タイミングｔ１０４で圧迫解除方向へ圧迫板３４の移動を開始させると、圧迫力検出センサ３３により検出された圧迫力が第２圧迫力となったタイミングｔ１０６で圧迫板３４の移動を停止させる。
【０１０６】
一方、図１１に示した一例のように撮影制御部８２は、タイミングｔ２０４のトモシンセシス撮影が終了すると、直ちに、タイミングｔ２０６で、線源移動部３７により、放射線照射部３６の放射線源３６Ｒを、トモシンセシス撮影の終了位置にあたる照射位置ｔから、単純撮影における照射位置ｔに移動させる。撮影制御部８２は、放射線源３６Ｒが単純撮影における照射位置ｔに達したタイミングｔ２０８で放射線源３６Ｒの移動を停止させる。図１１に示すように、本実施形態では、タイミングｔ２０６からタイミングｔ２０８の期間を放射線源３６Ｒの「移動期間」という。
【０１０７】
図１１に示すように、このトモシンセシス撮影の終了後の放射線源３６Ｒの移動期間と、圧迫板３４による圧迫力を第１圧迫力から第２圧迫力に変更する変更期間は重なっている。本実施形態のマンモグラフィ装置１０では、このように、放射線源３６Ｒの移動期間と、圧迫力の変更期間との少なくとも一部が重なることにより、乳房を圧迫し続けている期間を短縮することができる。
【０１０８】
放射線源３６Ｒが単純撮影における照射位置ｔまで移動すると、コンソール１２の制御に応じて撮影制御部８２は、図１１のタイミングチャートに示すように、タイミングｔ２１０で上述のように単純撮影を行う。
【０１０９】
そこで、ステップＳ１１７で圧迫制御部８０は、単純撮影が終了したか否かを判定する。単純撮影が終了するまでステップＳ１１７の判定が否定判定となる。一方、単純撮影が終了すると、ステップＳ１１７の判定が肯定判定となり、ステップＳ１１８へ移行する。
【０１１０】
このように、本実施形態のマンモグラフィ装置１０の圧迫制御処理では、トモシンセシス撮影の後に単純撮影を行う連続撮影において、圧迫板３４により乳房を第１圧迫力で圧迫してトモシンセシス撮影を行った後、圧迫力を第１圧迫力から第２圧迫力に小さくする。そして、乳房を第２圧迫力で圧迫して状態で単純撮影を行う。従って、本実施形態のマンモグラフィ装置１０によれば、被検者の痛みをさらに効果的に緩和することができる。
【０１１１】
また、本実施形態のマンモグラフィ装置１０によれば、トモシンセシス撮影の後、単純撮影を行うために撮影制御部８２が放射線源３６Ｒを移動させる移動期間中に、圧迫制御部８０が、圧迫板３４による乳房の圧迫力を第１圧迫力から第２圧迫力に変更する。換言すると、放射線源３６Ｒの移動期間と、圧迫力の変更期間との少なくとも一部が重なる。従って、より多くの期間が重なることにより乳房を圧迫し続けている期間を短縮することができるため、被検者の痛みをより効果的に緩和することができる。
【０１１２】
［第３実施形態］
以下、第３実施形態について詳細に説明する。
本実施形態では、連続撮影を行う場合、後に行う撮影が単純撮影及びトモシンセシス撮影のいずれかに応じて、先に行った撮影の後に行う、圧迫力の制御方法を異ならせる形態について説明する。
【０１１３】
本実施形態の医用撮影システム１の全体構成（図１参照）と、マンモグラフィ装置１０及びコンソール１２の構成（図２及び図３参照）は、第１実施形態と同様であるため説明を省略する。本実施形態では、マンモグラフィ装置１０の圧迫制御部８０が実行する圧迫制御処理の一部が第１及び第２実施形態のマンモグラフィ装置１０と異なるため、異なる動作及び処理について説明する。
【０１１４】
図１２には、本実施形態のマンモグラフィ装置１０における圧迫制御処理の流れの一例を表したフローチャートが示されている。図１２に示すように本実施形態の圧迫制御処理は、第１実施形態の圧迫制御処理（図８参照）と、第２実施形態の圧迫制御処理（図１０参照）とを組み合わせた形態である。なお、本実施形態の圧迫制御処理では、ステップＳ１０４とステップＳ１０６との間にステップＳ１０５の処理を行う点が異なっている。
【０１１５】
図１２に示したステップＳ１０５で圧迫制御部８０は、連続撮影における先に行う撮影が、単純撮影であるか否かを判定する。一例として本実施形態の医用撮影システム１では、撮影オーダに、トモシンセシス撮影及び単純撮影のいずれを先に行うかが指示されている。圧迫制御部８０は、撮影オーダの指示に基づいて、単純撮影を先に行うか否かを判定する。
【０１１６】
先に行う撮影が単純撮影ではない場合、換言すると、先に行う撮影がトモシンセシス撮影である場合、ステップＳ１０５の判定が否定判定となり、ステップＳ１０７へ移行し、第２実施形態の圧迫制御処理と同様に連続撮影を行う。一方、先に行う撮影が単純撮影の場合、ステップＳ１０５の判定が肯定判定となり、ステップＳ１０６へ移行する。
【０１１７】
また、本実施形態の圧迫制御処理は、ステップＳ１０６とステップＳ１１０との間で、ステップＳ１０８に代わりステップＳ１０９の処理を行う点が異なっている。
【０１１８】
単純撮影が終了するとステップＳ１０９で圧迫制御部８０は、圧迫板３４により第１圧迫力よりも大きな第３圧迫力で乳房を圧迫する。具体的には、圧迫制御部８０は、圧迫板駆動部３２により圧迫板３４を圧迫方向に移動させて、圧迫板３４により乳房を第３圧迫力で圧迫する。
【０１１９】
トモシンセシス撮影の場合、複数の投影画像の撮影開始から終了までの間に、被検者の体動が生じると、投影画像の画質が低下する場合があるため、好ましくない。また、トモシンセシス撮影は、比較的撮影時間が長くなることが多く、単純撮影の撮影時間よりも長くなる場合が多いため、体動が生じ易い傾向がある。そのため、本実施形態の圧迫制御処理では、トモシンセシス撮影を行う場合、圧迫板３４による圧迫力を第１圧迫力から小さくしないことで、乳房を圧迫板３４により固定し、被検者の体動を抑制する。そのため、図１２に示した圧迫制御処理のステップＳ１０９では、圧迫板３４により第１圧迫力よりも大きな第３圧迫力で乳房を圧迫する。
【０１２０】
また、本実施形態の圧迫制御処理では、ステップＳ１１２で肯定判定となった場合、換言すると、単独撮影がトモシンセシス撮影である場合、ステップＳ１０９へ移行する。
【０１２１】
このように本実施形態の圧迫制御処理では、トモシンセシス撮影を行う場合、圧迫板３４により乳房を圧迫する圧迫力を第１圧迫力よりも大きい第３圧迫力とする。従って、本実施形態の圧迫制御処理によれば、被検者の体動を抑制することができる。
【０１２２】
なお、図１２に示した圧迫制御処理では、トモシンセシス撮影を行う場合、圧迫板３４により第１圧迫力よりも大きな第３圧迫力で乳房を圧迫する形態について説明したが、本形態に限定されない。図１３には、変形例の圧迫制御処理の流れの一例を表したフローチャートが示されている。
【０１２３】
図１３に示した変形例の圧迫制御処理では、上記本実施形態の圧迫制御処理（図１２参照）のステップＳ１０９の処理が設けられていない。
【０１２４】
そのため、ステップＳ１０６で肯定判定となった場合、換言すると単純撮影が終了した場合、ステップＳ１１０へ移行する。また、ステップＳ１１２で肯定判定となった場合、換言すると、単独撮影がトモシンセシス撮影である場合も、ステップＳ１１０へ移行する。
【０１２５】
このように変形例の圧迫制御処理では、トモシンセシス撮影を行う場合、圧迫板３４により乳房を圧迫する圧迫力を第１圧迫力のままとする。この場合の圧迫制御処理も、第２圧迫力よりも大きな第１圧迫力で乳房を圧迫したままとするため、被検者の体動を抑制することができる。
【０１２６】
また、被検者の体動を抑制するため、圧迫板３４により乳房を第１圧迫力で圧迫したままで、単純撮影及びトモシンセシス撮影の連続撮影を行う場合、全体の撮影時間が長くなるため、被検者の負担が大きくなる。そのため、連続撮影を行う場合、少なくとも単純撮影では、トモシンセシス撮影よりも小さい圧迫力で圧迫板３４により乳房を圧迫することで被検者の負担を軽減することができる。
【０１２７】
［第４実施形態］
以下、第４実施形態について詳細に説明する。
本実施形態では、単純撮影の後にトモシンセシス撮影を行う連続撮影を行う場合、標準モード及び高鮮鋭モードのいずれであるかに応じて、先に行った撮影の後に行う、圧迫力の制御方法を異ならせる形態について説明する。
【０１２８】
本実施形態の医用撮影システム１の全体構成（図１参照）と、マンモグラフィ装置１０及びコンソール１２の構成（図２及び図３参照）は、第１実施形態と同様であるため説明を省略する。本実施形態では、マンモグラフィ装置１０の圧迫制御部８０が実行する圧迫制御処理の一部が第１及び第２実施形態のマンモグラフィ装置１０と異なるため、異なる動作及び処理について説明する。
【０１２９】
図１４には、本実施形態のマンモグラフィ装置１０における圧迫制御処理の流れの一例を表したフローチャートが示されている。図１４に示すように本実施形態の圧迫制御処理は、第１実施形態の圧迫制御処理（図８参照）のステップＳ１０６とステップＳ１０８との間にステップＳ１０７Ａの処理を行う点が異なっている。
【０１３０】
図１４に示したステップＳ１０７Ａで圧迫制御部８０は、連続撮影における後に行う撮影であるトモシンセシス撮影のモードが、標準モードであるか否かを判定する。一例として本実施形態の医用撮影システム１では、撮影オーダに、トモシンセシス撮影のモードが標準モード及び高鮮鋭モードのいずれであるかが指示されている。圧迫制御部８０は、撮影オーダの指示に基づいて、トモシンセシス撮影のモードが標準モードであるか否かを判定する。
【０１３１】
上述したように、トモシンセシス撮影において標準モードは、高鮮鋭モードに比べて複数の投影画像の全てを撮影し終わるまでの撮影時間が短い。換言すると、高鮮鋭モードは、標準モードに比べて、複数の投影画像の全てを撮影し終わるまでの撮影時間が長い。従って、高鮮鋭モードの場合、標準モードの場合に比べて、撮影中に被検者の体動が生じやすい。そこで、本実施形態の圧迫制御処理では、トモシンセシス撮影のモードが高鮮鋭モードの場合、被検者の体動を抑制するために、圧迫板３４による乳房の圧迫力を第１圧迫力のままとする。
【０１３２】
そのため、トモシンセシス撮影のモードが標準モードの場合、ステップＳ１０７Ａの判定が肯定判定となり、ステップＳ１０８へ移行する。一方、トモシンセシス撮影のモードが高鮮鋭モードの場合、ステップＳ１０７Ａの判定が否定判定となり、ステップＳ１１０へ移行する。
【０１３３】
また、本実施形態の圧迫制御処理では、ステップＳ１１２で肯定判定となった場合、換言すると、単独撮影がトモシンセシス撮影である場合、ステップＳ１０７Ａへ移行する。
【０１３４】
このように本実施形態の圧迫制御処理では、トモシンセシス撮影を行う場合、標準モードならば、撮影時間が短いため、圧迫板３４により乳房を圧迫する圧迫力を第１圧迫力から第２圧迫力に変更し、第２圧迫力で乳房を圧迫した状態でトモシンセシス撮影を行う。一方、高鮮鋭モードならば、撮影時間が長いため、被検者の体動を抑制するために圧迫板３４により乳房を圧迫する圧迫力を第１圧迫力のままとし、第１圧迫力で乳房を圧迫した状態でトモシンセシス撮影を行う。
【０１３５】
［第５実施形態］
以下、第５実施形態について詳細に説明する。
本実施形態では、連続撮影を行う場合、乳房にインプラント等の人工物が含まれている場合と、含まれていない場合とで、圧迫力の制御方法を異ならせる形態について説明する。
【０１３６】
本実施形態の医用撮影システム１の全体構成（図１参照）と、マンモグラフィ装置１０及びコンソール１２の構成（図２及び図３参照）は、第１実施形態と同様であるため説明を省略する。本実施形態では、マンモグラフィ装置１０の圧迫制御部８０が実行する圧迫制御処理の一部が第１実施形態のマンモグラフィ装置１０と異なるため、異なる動作及び処理について説明する。
【０１３７】
図１５には、本実施形態のマンモグラフィ装置１０における圧迫制御処理の流れの一例を表したフローチャートが示されている。図１５に示すように本実施形態の圧迫制御処理は、第１実施形態の圧迫制御処理（図８参照）のステップＳ１０６とステップＳ１０８との間にステップＳ１０７Ｂ及びステップＳ１０７Ｃの処理を行う点が異なっている。
【０１３８】
図１５に示したステップＳ１０７Ｂで圧迫制御部８０は、放射線検出器３０から放射線画像を取得する。本実施形態では、連続撮影における先の撮影として、単純撮影を行っている。そのため、ステップＳ１０７Ｂで圧迫制御部８０は、放射線検出器３０から２次元画像を取得する。
【０１３９】
次のステップＳ１０７Ｃで圧迫制御部８０は、取得した放射線画像（２次元画像）に基づいて、乳房にインプラント等の人工物が含まれているか否か判定する。圧迫制御部８０は、例えば、公知のＣＡＤ（Computer Aided Diagnosis）を適用することで、２次元画像から乳房に含まれる人工物の有無を推定することができる。
【０１４０】
乳房に人工物が含まれていない場合、ステップＳ１０７Ｃの判定が否定判定となり、ステップＳ１０８へ移行する。一方、乳房に人工物が含まれている場合、ステップＳ１０７Ｃの判定が肯定判定となり、ステップＳ１１０へ移行する。
【０１４１】
なお、本実施形態では、連続撮影の先に行う撮影が単純撮影であるため、単純撮影により得られた２次元画像に基づいて、人工物の有無を判定する形態について説明したが、先に行う撮影がトモシンセシス撮影である場合、２次元画像に代わり、トモシンセシス撮影により得られた投影画像のうちの少なくとも１つの画像を用いればよい。
【０１４２】
このように本実施形態の圧迫制御処理では、連続撮影を行う場合、先の撮影により得られた放射線画像に基づいて乳房に人工物が含まれていると推定される場合、圧迫板３４により乳房を圧迫する圧迫力を第１圧迫力のままとし、第１圧迫力で乳房を圧迫した状態で連続撮影における後の撮影を行う。一方、乳房に人工物が含まれていないと推定される場合、圧迫板３４により乳房を圧迫する圧迫力を第１圧迫力から第２圧迫力に変更し、第２圧迫力で乳房を圧迫した状態で、連続撮影における後の撮影を行う。
【０１４３】
［第６実施形態］
以下、第６実施形態について詳細に説明する。
上記各実施形態では、乳房全体を圧迫する圧迫力を本開示の乳房を圧迫する力の一例とした形態について説明したが、本実施形態では、単位面積当たりの圧迫力である圧迫圧力を本開示の乳房を圧迫する力の一例とした形態について説明する。上記各実施形態の圧迫制御部８０は、圧迫板３４により乳房を圧迫する圧迫力を制御するが、本実施形態の圧迫制御部８０は、圧迫板３４により乳房を圧迫する圧迫圧力を制御する。
【０１４４】
乳房が大きい方が同じ圧迫力で圧迫しても力が分散するため、乳房が、より小さい場合に比べて被検者が感じる痛みが軽減される傾向がある。従って、乳房の大きさに応じてきめ細かく、圧迫板３４の移動を制御することが好ましい。そのため本実施形態のマンモグラフィ装置１０では、圧迫板３４が乳房全体を圧迫する圧迫力ではなく、単位面積当たりの圧迫力である圧迫圧力に基づいて、圧迫板３４による乳房の圧迫を制御する。
【０１４５】
本実施形態の医用撮影システム１の全体構成（図１参照）は第１実施形態と同様であるため説明を省略する。本実施形態では、マンモグラフィ装置１０の構成の一部について、第１実施形態のマンモグラフィ装置１０と異なるため、異なる構成について説明する。
【０１４６】
図１６には、本実施形態のマンモグラフィ装置１０及びコンソール１２の構成の一例を表すブロック図が示されている。図１６に示すように、本実施形態のマンモグラフィ装置１０は、第１実施形態のマンモグラフィ装置１０が備えていた圧迫力検出センサ３３に代えて、圧力センサ３５を備えている点が異なっている。
【０１４７】
撮影台４０の撮影面４０Ａには、図１７に示すように、ｎ個（本実施形態では５０個）の圧力センサ３５が２次元状に配列されており、圧迫板３４により乳房が圧迫されて撮影台４０に押しつけられることにより発生した圧力を、各圧力センサ３５が検出する。本実施形態の各圧力センサ３５は、圧力を検出する領域の大きさ（撮影面４０Ａの面積、以下「圧力検出面積」という）が予め定められている。
【０１４８】
圧力センサ３５は、放射線Ｒを透過する材料によって形成することが好ましいが、放射線Ｒの一部を吸収する材料によって形成される場合、取得した放射線画像の画像データを、圧力センサ３５の放射線の透過率に従って補正する。
【０１４９】
図１８には、本実施形態のマンモグラフィ装置１０の構成の一例の機能ブロック図を示す。図１８に示すように本実施形態のマンモグラフィ装置１０は、第１実施形態のマンモグラフィ装置１０（図６参照）と同様に、圧迫制御部８０を備える。
【０１５０】
本実施形態の圧迫制御部８０には、圧力センサ３５の検出結果である圧力を表す情報が入力される。また、圧迫制御部８０は、圧迫板駆動部３２に、圧迫板３４の移動に関する指示を出力する。
【０１５１】
圧迫制御部８０は、マンモグラフィ装置１０が乳房を圧迫状態としたままで、単純撮影及びトモシンセシス撮影を連続して行う連続撮影の場合、単純撮影及びトモシンセシス撮影のうちの先に行う一方の撮影では、圧迫板３４による単位面積当たりの圧迫力である圧迫圧力を第１圧迫圧力とする制御を行う。また、圧迫制御部８０は、一方の撮影の後に、圧迫板３４による圧迫圧力を第１圧迫圧力から第１圧迫圧力よりも小さい第２圧迫圧力に変更し、単純撮影及びトモシンセシス撮影のうちの後に行う他方の撮影では、圧迫板３４による乳房の圧迫圧力を第２圧迫圧力とする制御を行う。
【０１５２】
本実施形態の圧迫制御部８０は、各圧力センサ３５から取得した検出結果に基づいて、圧迫圧力を導出する。なお、圧迫圧力の導出方法は特に限定されない。例えば、圧迫制御部８０は、ｎ個の圧力センサ３５の検出結果の中から最大値を選択し、選択した最大値と圧力検出面積とに基づいて圧迫圧力を導出してもよい。また、例えば、圧迫制御部８０は、ｎ個の圧力センサ３５の検出結果のうち、大きい順に所定数の検出結果を選択し、選択した検出結果の平均値と圧力検出面積とに基づいて圧迫圧力を導出してもよい。また例えば、乳房が接触していない部分の撮影面４０Ａに設けられた圧力センサ３５は検出結果が０Ｎ／ｍｍ２からほとんど変化しないため、圧迫制御部８０は、０Ｎ／ｍｍ２または、誤差を考慮して０Ｎ／ｍｍ２から所定の範囲内である検出結果を除いた他の検出結果の平均値と圧力検出面積とに基づいて圧迫圧力を導出してもよい。このように、圧迫圧力の導出には、乳房が接触している部分の撮影面４０Ａに設けられた圧力センサ３５の検出結果を用いることが好ましい。
【０１５３】
本実施形態の圧迫制御部８０は、圧力センサ３５による検出結果を所定の間隔（本実施形態では、０．１秒）で繰り返し取得し、圧力センサ３５の検出結果に基づいて導出した圧迫圧力が第１圧迫圧力または第２圧迫圧力に達するまで、圧迫板駆動部３２により圧迫板３４を圧迫方向または圧迫解除方向へ移動させる。
【０１５４】
本実施形態のマンモグラフィ装置１０の圧迫制御部８０が行う圧迫制御処理は、上記各実施形態の圧迫制御部８０が行う圧迫制御処理（図８等参照）における圧迫力を、圧迫圧力に変更すればよく、全体の流れ、及び各ステップにおける処理は同様であるため、説明を省略する。
【０１５５】
［第７実施形態］
以下、第７実施形態について詳細に説明する。
本実施形態では、グリッドを備えるマンモグラフィ装置１０において、グリッドの移動期間と、圧迫力の変更期間との関係について説明する。
【０１５６】
本実施形態の医用撮影システム１の全体構成（図１参照）は第１実施形態と同様であるため説明を省略する。本実施形態では、マンモグラフィ装置１０の構成の一部について、第１実施形態のマンモグラフィ装置１０と異なるため、異なる構成について説明する。
【０１５７】
図１９には、本実施形態のマンモグラフィ装置及びコンソール１２の構成の一例を表すブロック図が示されている。図１９に示したように、本実施形態のマンモグラフィ装置１０は、グリッド４１及びグリッド移動部４３を備える点で第１実施形態のマンモグラフィ装置１０（図２参照）と異なっている。
【０１５８】
グリッド４１は、被写体である乳房を透過した放射線Ｒに含まれる散乱線を除去するものであり、撮影台４０の中に備えられている。グリッド移動部４３は、撮影制御部８２（図６及び図１８参照）の制御により、グリッド４１を、退避位置と所定位置との間で移動させる。本実施形態の所定位置が、本開示の第１位置の一例であり、退避位置が、本開示の第２位置の一例である。
【０１５９】
本実施形態のマンモグラフィ装置１０では、単純撮影を行う場合、グリッド４１を放射線源３６Ｒと、放射線検出器３０との間の所定位置に配置する。所定位置にグリッド４１を配置することにより、乳房を透過した放射線Ｒに含まれる散乱線が除去され、散乱線が除去された状態の放射線Ｒが、放射線検出器３０によって検出される。このように所定位置とは、放射線源３６Ｒと、放射線検出器３０との間の位置である。
【０１６０】
一方、マンモグラフィ装置１０では、トモシンセシス撮影では、複数の照射位置ｔの各々における照射角度が異なるため、撮影においてグリッド４１を用いない。そのため、マンモグラフィ装置１０では、トモシンセシス撮影を行う場合、グリッド４１を放射線源３６Ｒから照射された放射線Ｒと放射線検出器３０との間を遮らない退避位置に配置する。このように、退避位置とは、放射線源３６Ｒから見て、放射線検出器３０より退避された位置である。
【０１６１】
以下では、撮影制御部８２によるよりグリッド４１の位置の制御と、圧迫制御部８０による圧迫力の制御との関係について説明する。
【０１６２】
まず、単独撮影を先に行った後、トモシンセシス撮影を行う連続撮影の場合について説明する。この連続撮影の場合の圧迫制御部８０による圧迫制御処理は第１実施形態の圧迫制御処理（図８参照）と同様になる。一方、図２０には、この連続撮影の場合における、撮影制御部８２によるよりグリッド４１の位置の制御と、圧迫制御部８０による圧迫力の制御とを表すタイムチャートが示されている。
【０１６３】
撮影の開始指示に応じて、図２０に一例を示したタイムチャートのタイミングｔ２０１Ａで、撮影制御部８２は、グリッド移動部４３により、グリッド４１の移動を開始させる。グリッド４１は、グリッド移動部４３により、退避位置から所定位置に向けて移動を開始する。タイミングｔ２０１Ｂでグリッド４１が所定位置に到達すると、撮影制御部８２は、グリッド４１の移動を停止する。
【０１６４】
このタイミングｔ２０１Ａからタイミングｔ２０１Ｂまでのグリッドの移動期間に、図２０に示すように、圧迫制御部８０は、圧迫方向へ圧迫板３４の移動を開始させ、圧迫板３４により乳房を第１圧迫力で圧迫する。タイミングｔ１００からタイミングｔ１０２までの圧迫期間の少なくとも一部が、所定位置まで移動させるためのグリッド４１の移動期間と重なる。
【０１６５】
タイミングｔ２０３における単純撮影が終了すると、続くトモシンセシス撮影のために図２０に一例を示したタイムチャートのタイミングｔ２０５Ａで、撮影制御部８２は、グリッド移動部４３により、グリッド４１の移動を開始させる。グリッド４１は、グリッド移動部４３により、所定位置から退避位置に向けて移動を開始する。タイミングｔ２０５Ｂでグリッド４１が退避位置に到達すると、撮影制御部８２は、グリッド４１の移動を停止する。
【０１６６】
このタイミングｔ２０５Ａからタイミングｔ２０５Ｂまでのグリッドの移動期間に、図２０に示すように、圧迫制御部８０は、圧迫解除方向へ圧迫板３４の移動を開始させ、圧迫板３４による圧迫力を、第１圧迫力から第２圧迫力に変更する。タイミングｔ１０４からタイミングｔ１０６までの変更期間の少なくとも一部が、退避位置まで移動させるためのグリッド４１の移動期間と重なる。
【０１６７】
次に、トモシンセシス撮影を先に行った後、単純撮影を行う連続撮影の場合について説明する。この連続撮影の場合の圧迫制御部８０による圧迫制御処理は第２実施形態の圧迫制御処理（図１０参照）と同様になる。一方、図２１には、この連続撮影の場合における、撮影制御部８２によるよりグリッド４１の位置の制御と、圧迫制御部８０による圧迫力の制御とを表すタイムチャートが示されている。
【０１６８】
本連続撮影の場合、タイミングｔ２０４におけるトモシンセシス撮影が終了すると、続く単純撮影のために図２１に一例を示したタイムチャートのタイミングｔ２０５Ｃで、撮影制御部８２は、グリッド移動部４３により、グリッド４１の移動を開始させる。グリッド４１は、グリッド移動部４３により、退避位置から所定位置に向けて移動を開始する。タイミングｔ２０５Ｄでグリッド４１が所定位置に到達すると、撮影制御部８２は、グリッド４１の移動を停止する。
【０１６９】
このタイミングｔ２０５Ｃからタイミングｔ２０５Ｄまでのグリッドの移動期間に、図２１に示すように、圧迫制御部８０は、圧迫解除方向へ圧迫板３４の移動を開始させ、圧迫板３４による圧迫力を、第１圧迫力から第２圧迫力に変更する。タイミングｔ１０４からタイミングｔ１０６までの変更期間の少なくとも一部が、退避位置まで移動させるためのグリッド４１の移動期間と重なる。
【０１７０】
このように、本実施形態のマンモグラフィ装置１０では、連続撮影を行う場合、グリッド４１が所定位置と退避位置との間を移動する移動期間と、圧迫制御部８０が、圧迫板３４により乳房を圧迫する圧迫期間、及び乳房の圧迫力を第１圧迫力から第２圧迫力に変更する変更期間の少なくとも一部が重なる。従って、本実施形態のマンモグラフィ装置１０によれば、グリッド４１の移動期間と、乳房を圧迫板３４により圧迫する圧迫期間及び圧迫力の変更期間とが重なることにより、乳房を圧迫し続けている期間を短縮することができる。
【０１７１】
以上説明したように、上記各実施形態の放射線画像撮影システム２は、マンモグラフィ装置１０を備える。マンモグラフィ装置１０は、放射線源３６Ｒ、放射線検出器３０、及び放射線源３６Ｒと放射線検出器３０との間に配置された乳房を圧迫状態にする圧迫板３４を含み、圧迫状態の乳房に対して、所定の照射角度から放射線源３６Ｒにより放射線Ｒを照射して放射線画像を撮影する単純撮影と、圧迫状態の乳房に対して異なる複数の照射角度の各々から、放射線源３６Ｒにより順次放射線Ｒを照射して複数の照射角度毎に投影画像を撮影するトモシンセシス撮影と、が可能である。
【０１７２】
またマンモグラフィ装置１０は、圧迫制御部８０を備える。圧迫制御部８０は、乳房を圧迫状態としたままで、単純撮影及びトモシンセシス撮影を連続して行う連続撮影の場合、単純撮影及びトモシンセシス撮影のうちの先に行う一方の撮影では、圧迫板３４による乳房の圧迫力を第１圧迫力とする制御を行う。また、圧迫制御部８０は、一方の撮影の後に、圧迫板３４による圧迫力を第１圧迫力から第１圧迫力よりも小さい第２圧迫力に変更し、単純撮影及びトモシンセシス撮影のうちの後に行う他方の撮影では、圧迫板３４による乳房の圧迫力を第２圧迫力とする制御を行う。
【０１７３】
もしくは、圧迫制御部８０は、乳房を圧迫状態としたままで、単純撮影及びトモシンセシス撮影を連続して行う連続撮影の場合、単純撮影及びトモシンセシス撮影のうちの先に行う一方の撮影では、圧迫板３４による単位面積当たりの圧迫力である圧迫圧力を第１圧迫力とする制御を行う。また、圧迫制御部８０は、一方の撮影の後に、圧迫板３４による圧迫圧力を第１圧迫圧力から第１圧迫圧力よりも小さい第２圧迫圧力に変更し、単純撮影及びトモシンセシス撮影のうちの後に行う他方の撮影では、圧迫板３４による乳房の圧迫圧力を第２圧迫圧力とする制御を行う。
【０１７４】
上記構成を有することにより上記実施形態のマンモグラフィ装置１０では、単純撮影及びトモシンセシス撮影の連続撮影を行う場合、単純撮影及びトモシンセシス撮影のうち先に行う一方の撮影の後、圧迫板３４による乳房の圧迫力または圧迫圧力を小さくし、圧迫力または圧迫圧力を小さくした状態で、単純撮影及びトモシンセシス撮影のうちの他方の撮影を行う。従って、上記マンモグラフィ装置１０によれば、被検者の痛みをさらに効果的に緩和することができる、
【０１７５】
また、上記各実施形態のマンモグラフィ装置１０では、連続撮影における先の撮影において、圧迫板３４により乳房を第１圧迫力または第１圧迫圧力で圧迫するため、第２圧迫力または第２圧迫圧力まで圧迫を小さくしても、上述の乳房の弾性効果により、乳腺組織の展開具合を維持することができる。これにより、上記各実施形態のマンモグラフィ装置１０における連続撮影の単純撮影により得られた２次元画像と、トモシンセシス撮影により得られた複数の投影画像に基づく断層画像と、の乳腺領域が同様となり、診断等を行い易くすることができる。
【０１７６】
このように、本実施形態のマンモグラフィ装置１０の圧迫制御処理では、トモシンセシス撮影の後に単純撮影を行う連続撮影において、圧迫板３４により乳房を第１圧迫力で圧迫してトモシンセシス撮影を行った後、圧迫力を第１圧迫力から第２圧迫力に小さくする。そして、乳房を第２圧迫力で圧迫して状態で単純撮影を行う。従って、本実施形態のマンモグラフィ装置１０によれば、被検者の痛みをさらに効果的に緩和することができる。
【０１７７】
また、本実施形態のマンモグラフィ装置１０によれば、トモシンセシス撮影の後、単純撮影を行うために撮影制御部８２が放射線源３６Ｒを移動させる移動期間中に、圧迫制御部８０が、圧迫板３４による乳房の圧迫力を第１圧迫力から第２圧迫力に変更する。換言すると、放射線源３６Ｒの移動期間と、圧迫力の変更期間との少なくとも一部が重なる。従って、より多くの期間が重なることにより乳房を圧迫し続けている期間を短縮することができるため、被検者の痛みをより効果的に緩和することができる。
【０１７８】
なお、上記各実施形態の圧迫制御部８０による圧迫制御処理に限定されず、例えば、被検者の指示に応じて、連続撮影を行う場合に、先の撮影の後に圧迫力または圧迫圧力を、第１圧迫力または第１圧迫圧力から第２圧迫力または第２圧迫力に変更する形態としてもよい。被検者によって、乳房の圧迫され具合が異なり、痛みの感じ方も異なる。そこで、被検者自身により、圧迫力または圧迫圧力を小さくするかどうか指示する形態としてもよい。例えば、被検者がマンモグラフィ装置１０の操作部２６を操作することにより、第２圧迫力または第２圧迫圧力に変更することを指示した場合、指示に従い、連続撮影の先の撮影の後に、後の撮影が始まる前に上述のように、圧迫板３４による乳房の圧迫力または圧迫圧力を、第１圧迫力または第１圧迫圧力から第２圧迫力または第２圧迫力に変更すればよい。なお、この場合、単純撮影及びトモシンセシス撮影、各々の撮影中は、被検者が操作部２６を操作することにより、圧迫を小さくすることを指示した場合でも、圧迫制御部８０は、実行中の撮影が終了するまで、第２圧迫力または第２圧迫圧力への変更を行わないことが好ましい。
【０１７９】
なお、上記各実施形態の圧迫制御部８０は、圧迫板３４による圧迫力または圧迫圧力を第１圧迫力または第１圧迫圧力から第２圧迫力または第２圧迫圧力に変更する場合、圧迫力または圧迫圧力を減少させ続ける形態について説明したが、上記各実施形態に限定されない。上述したように乳房を圧迫することにより、乳腺組織の重なりを展開する。そのため、圧迫制御部８０では、乳腺組織の重なり具合、換言すると乳腺組織の展開具合が変化しない程度、または変化してもその変化量が許容範囲内である程度ならば、圧迫力または圧迫圧力を変化させることが可能である。一例として、連続撮影の開始から終了するまで乳房の圧迫状態として、撮影台４０の撮影面４０Ａに接する乳房の面積が変化しない程度に乳房を圧迫し続ければよい。従って、マンモグラフィ装置１０では、撮影面４０Ａに接する乳房の面積に応じて、連続撮影における先の撮影の後、後の撮影を行う前に乳房の圧迫をさらに小さくしてもよい。
【０１８０】
また、上記各実施形態では、マンモグラフィ装置１０が圧迫制御部８０を備え、本開示の制御装置として機能する形態について説明したが、圧迫制御部８０の機能の全部または一部を備える装置は、上記各実施形態に限定されない。例えば、コンソール１２等、医用撮影システム１内の他の装置が圧迫制御部８０の機能の全部または一部を備え、本開示の制御装置として機能してもよい。
【０１８１】
なお、上記各実施形態のマンモグラフィ装置１０では、放射線照射部３６を移動させることにより、放射線源３６Ｒを、照射位置ｔに移動させる形態について説明したが、マンモグラフィ装置１０は上記各実施形態に限定されない。例えば、マンモグラフィ装置１０は、照射位置ｔの各々に対応する複数の放射線源３６Ｒを備える形態であってもよい。
【０１８２】
なお、上記各実施形態のマンモグラフィ装置１０の放射線検出器３０は、ＡＥＣ（Automatic Exposure Control）と呼ばれる、放射線Ｒの照射に応じてセンサ部で発生した電荷（電気信号）に基づいて放射線を検知して、放射線検出器３０の各画素における電荷の蓄積の開始または停止等を行わせる機能を有する放射線検出器を用いてもよい。この場合、例えば、連続撮影において放射線検出器３０がＡＥＣの機能を用いる場合、連続撮影において先に行う撮影の間にＡＥＣの機能を用いた動作を行い、その結果を、連続撮影における後の撮影に反映させる形態としてもよい。
【０１８３】
上記各実施形態において、例えば圧迫制御部８０及び撮影制御部８２といった各種の処理を実行する処理部（processing unit）のハードウェア的な構造としては、次に示す各種のプロセッサ（processor）を用いることができる。上記各種のプロセッサには、上述したように、ソフトウェア（プログラム）を実行して各種の処理部として機能する汎用的なプロセッサであるＣＰＵに加えて、ＦＰＧＡ（Field  Programmable Gate Array）等の製造後に回路構成を変更可能なプロセッサであるプログラマブルロジックデバイス（Programmable Logic Device ：ＰＬＤ）、ＡＳＩＣ（Application Specific Integrated Circuit）等の特定の処理を実行させるために専用に設計された回路構成を有するプロセッサである専用電気回路などが含まれる。
【０１８４】
１つの処理部は、これらの各種のプロセッサのうちの１つで構成されてもよいし、同種または異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
【０１８５】
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態が挙げられる。第２に、システムオンチップ（System On Chip：ＳｏＣ）等に代表されるように、複数の処理部を含むシステム全体の機能を１つのＩＣ（Integrated Circuit）チップで実現するプロセッサを使用する形態が挙げられる。このように、各種の処理部は、ハードウェア的な構造として、上記各種のプロセッサの１つ以上を用いて構成される。
【０１８６】
さらに、これらの各種のプロセッサのハードウェア的な構造としては、より具体的には、半導体素子等の回路素子を組み合わせた電気回路（circuitry）を用いることができる。
【０１８７】
また、上記各実施形態では、撮影処理プログラム２１Ａ及び圧迫制御処理プログラム２１ＢがＲＯＭ２０Ｂに予め記憶（インストール）されている態様を説明したが、これに限定されない。撮影処理プログラム２１Ａ及び圧迫制御処理プログラム２１Ｂの各々は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、撮影処理プログラム２１Ａ及び圧迫制御処理プログラム２１Ｂの各々は、ネットワークを介して外部装置からダウンロードされる形態としてもよい。
【０１８８】
その他、上記各実施形態で説明した医用撮影システム１、放射線画像撮影システム２、及びマンモグラフィ装置１０等の構成及び動作等は一例であり、本発明の主旨を逸脱しない範囲内において状況に応じて変更可能であることはいうまでもない。また、上記各実施形態を適宜組み合わせてもよいこともいうまでもない。
【符号の説明】
【０１８９】
１  医用撮影システム
２  放射線画像撮影システム
５  ＲＩＳ
１０  マンモグラフィ装置
１２  コンソール
１８  画像保存システム
２０、５０、７０  制御部
２０Ａ、５０Ａ、７０Ａ  ＣＰＵ
２０Ｂ、５０Ｂ、７０Ｂ  ＲＯＭ
２０Ｃ、５０Ｃ、７０Ｃ  ＲＡＭ
２１Ａ  撮影処理プログラム、２１Ｂ  圧迫制御処理プログラム
２２、５２、７２  記憶部
２４、５４、７４  Ｉ／Ｆ部
２６、５６、  操作部
３０  放射線検出器、３０Ａ  検出面
３１  モータ
３２  圧迫板駆動部
３３  圧迫力検出センサ
３４  圧迫板、３４Ａ  上面
３６  放射線照射部、３６Ｒ  放射線源
３７  線源移動部
３８  ボールネジ
３９、５９、７９  バス
４０  撮影台、４０Ａ  撮影面
４１  グリッド
４２  アーム部
４３  グリッド移動部
４４  基台
４５  軸部
４６  圧迫ユニット
５８  表示部
５１  制御処理プログラム
８０  圧迫制御部
８２  撮影制御部
ＣＬ  法線
Ｒ  放射線
ｔ  照射位置
θ  角度
ＨＲ  高鮮鋭モードの照射角度範囲
ＳＴ  標準モードの照射角度範囲
【図１】
2020137873.tif 000003
【図２】
2020137873.tif 000004
【図３】
2020137873.tif 000005
【図４】
2020137873.tif 000006
【図５】
2020137873.tif 000007
【図６】
2020137873.tif 000008
【図７】
2020137873.tif 000009
【図８】
2020137873.tif 000010
【図９】
2020137873.tif 000011
【図１０】
2020137873.tif 000012
【図１１】
2020137873.tif 000013
【図１２】
2020137873.tif 000014
【図１３】
2020137873.tif 000015
【図１４】
2020137873.tif 000016
【図１５】
2020137873.tif 000017
【図１６】
2020137873.tif 000018
【図１７】
2020137873.tif 000019
【図１８】
2020137873.tif 000020
【図１９】
2020137873.tif 000021
【図２０】
2020137873.tif 000022
【図２１】
2020137873.tif 000023